(57)【要約】  ユーザ端末は、コネクテッドモードにおいて、システム情報又はページングのための下り制御チャネルのモニタリングを行う受信部と、下り制御チャネルモニタリング機会及び下り参照信号の紐付けと、前記下り制御チャネルを含む制御リソースセットに対して擬似コロケーションである下り参照信号を示す設定情報と、の少なくとも１つに基づいて、前記下り制御チャネルに対して疑似コロケーションである下り参照信号を決定する制御部と、を有する。本開示の一態様によれば、下り制御チャネルのモニタリングを適切に行うことができる。
2020059153.tif 000002
【特許請求の範囲】
【請求項１】
コネクテッドモードにおいて、システム情報又はページングのための下り制御チャネルのモニタリングを行う受信部と、
下り制御チャネルモニタリング機会及び下り参照信号の紐付けと、前記下り制御チャネルを含む制御リソースセットに対して擬似コロケーションである下り参照信号を示す設定情報と、の少なくとも１つに基づいて、前記下り制御チャネルに対して疑似コロケーションである下り参照信号を決定する制御部と、を有することを特徴とするユーザ端末。
【請求項２】
前記制御部は、前記制御リソースセットが制御リソースセット＃０である場合、前記紐付けに基づいて前記下り参照信号を決定し、前記制御リソースセットが制御リソースセット＃０でない場合、前記設定情報に基づいて前記下り参照信号を決定することを特徴とする請求項１に記載のユーザ端末。
【請求項３】
前記制御部は、前記制御リソースセットが制御リソースセット＃０であるか否かによらず、前記紐付けに基づいて前記下り参照信号を決定することを特徴とする請求項１に記載のユーザ端末。
【請求項４】
前記制御部は、前記制御リソースセットが制御リソースセット＃０であるか否かによらず、前記設定情報に基づいて前記下り参照信号を決定することを特徴とする請求項１に記載のユーザ端末。
【請求項５】
前記制御部は、前記制御リソースセットが制御リソースセット＃０である場合、前記紐付けに基づいて前記下り参照信号を決定し、前記制御リソースセットが制御リソースセット＃０でない場合、前記設定情報に基づいて前記下り参照信号を決定する第１動作と、前記制御リソースセットが制御リソースセット＃０であるか否かによらず、前記紐付けに基づいて前記下り参照信号を決定する第２動作と、前記制御リソースセットが制御リソースセット＃０であるか否かによらず、前記設定情報に基づいて前記下り参照信号を決定する第３動作と、のうち異なる動作を、前記下り制御チャネルがシステム情報用である場合と、前記下り制御チャネルがページング用である場合と、に適用することを特徴とする請求項１に記載のユーザ端末。
【請求項６】
コネクテッドモードにおいて、システム情報又はページングのための下り制御チャネルのモニタリングを行う工程と、
下り制御チャネルモニタリング機会及び下り参照信号の紐付けと、前記下り制御チャネルを含む制御リソースセットに対して擬似コロケーションである下り参照信号を示す設定情報と、の少なくとも１つに基づいて、前記下り制御チャネルに対して疑似コロケーションである下り参照信号を決定する工程と、を有することを特徴とするユーザ端末の無線通信方法。
【発明の詳細な説明】
【技術分野】
【０００１】
本開示は、次世代移動通信システムにおけるユーザ端末及び無線通信方法に関する。
【背景技術】
【０００２】
ＵＭＴＳ（Universal  Mobile  Telecommunications  System）ネットワークにおいて、更なる高速データレート、低遅延などを目的としてＬＴＥ（Long  Term  Evolution）が仕様化された（非特許文献１）。また、ＬＴＥ（３ＧＰＰ（Third  Generation  Partnership  Project）  Ｒｅｌ．（Release）８、９）の更なる大容量、高度化などを目的として、ＬＴＥ−Ａｄｖａｎｃｅｄ（３ＧＰＰ  Ｒｅｌ．１０−１４）が仕様化された。【０００３】
ＬＴＥの後継システム（例えば、５Ｇ（5th  generation  mobile  communication  system）、５Ｇ＋（plus）、ＮＲ（New  Radio）、３ＧＰＰ  Ｒｅｌ．１５以降などともいう）も検討されている。【０００４】
ＮＲにおける初期アクセスでは、同期信号ブロック（ＳＳＢ：Synchronization  Signal  Block）の検出、ブロードキャストチャネル（ＰＢＣＨ：Physical  Broadcast  Channel、Ｐ−ＢＣＨ等ともいう）によって伝送されるブロードキャスト情報（例えば、マスタ情報ブロック（ＭＩＢ：Master  Information  Block））の取得、ランダムアクセスによる接続の確立の少なくとも一つが行われる。【０００５】
ここで、ＳＳＢとは、同期信号（例えば、プライマリ同期信号（ＰＳＳ：Primary  Synchronization  Signal）、セカンダリ同期信号（ＳＳＳ：Primary  Synchronization  Signal））及びＰＢＣＨの少なくとも一つを含む信号ブロックであり、ＳＳ／ＰＢＣＨブロック等とも呼ばれる。
【先行技術文献】
【非特許文献】
【０００６】
【非特許文献１】3GPP  TS  36.300  V8.12.0  “Evolved  Universal  Terrestrial  Radio  Access  (E-UTRA)  and  Evolved  Universal  Terrestrial  Radio  Access  Network  (E-UTRAN);  Overall  description;  Stage  2  (Release  8)”、２０１０年４月
【発明の概要】
【発明が解決しようとする課題】
【０００７】
将来の無線通信システム（例えば、ＬＴＥ  Ｒｅｌ．１５以降、５Ｇ、５Ｇ＋、ＮＲなど）では、ユーザ端末は、ＳＳＢに基づいて、システム情報ブロック１（System  Information  Block  1：ＳＩＢ１、Remaining  Minimum  System  Information：ＲＭＳＩ）のためのＰＤＣＣＨのモニタリングを行うことが検討されている。【０００８】
しかしながら、ＳＩＢ１以外の情報（他のシステム情報（Other  System  Information：ＯＳＩ）、ページング）のためのＰＤＣＣＨのモニタリングの動作が明らかでない。ＰＤＣＣＨのモニタリングが適切に行われなければ、システムの性能が劣化するおそれがある。【０００９】
そこで、本開示は、下り制御チャネルのモニタリングを適切に行うユーザ端末及び無線通信方法を提供することを目的の１つとする。
【課題を解決するための手段】
【００１０】
本開示の一態様に係るユーザ端末は、コネクテッドモードにおいて、システム情報又はページングのための下り制御チャネルのモニタリングを行う受信部と、下り制御チャネルモニタリング機会及び下り参照信号の紐付け（association）と、前記下り制御チャネルを含む制御リソースセットに対して擬似コロケーションである下り参照信号を示す設定情報と、の少なくとも１つに基づいて、前記下り制御チャネルに対して疑似コロケーションである下り参照信号を決定する制御部と、を有することを特徴とする。
【発明の効果】
【００１１】
本開示の一態様によれば、下り制御チャネルのモニタリングを適切に行うことができる。
【図面の簡単な説明】
【００１２】
【図１】図１は、ＰＤＣＣＨモニタリングオケージョン及びＳＳＢの紐付けルールの一例を示す図である。
【図２】図２は、態様１−１に係るＰＤＣＣＨモニタリングの一例を示す図である。
【図３】図３は、態様１−２の設定方法１に係るＰＤＣＣＨモニタリングの一例を示す図である。
【図４】図４は、態様１−２の設定方法２に係るＰＤＣＣＨモニタリングの一例を示す図である。
【図５】図５は、一実施形態に係る無線通信システムの概略構成の一例を示す図である。
【図６】図６は、一実施形態に係る基地局の構成の一例を示す図である。
【図７】図７は、一実施形態に係るユーザ端末の構成の一例を示す図である。
【図８】図８は、一実施形態に係る基地局及びユーザ端末のハードウェア構成の一例を示す図である。
【発明を実施するための形態】
【００１３】
（ＣＯＲＥＳＥＴ及びサーチスペース）
将来の無線通信システム（例えば、ＮＲ、５Ｇ、５Ｇ＋、Ｒｅｌ．１５以降）においては、物理レイヤの制御信号（例えば、下り制御情報（ＤＣＩ：Downlink  Control  Information））を、基地局（例えば、ＢＳ（Base  Station）、送受信ポイント（ＴＲＰ：Transmission/Reception  Point）、ｅＮＢ（eNodeB）、ｇＮＢ（NR  NodeB）などと呼ばれてもよい）からユーザ端末に対して送信するために、制御リソースセット（ＣＯＲＥＳＥＴ：COntrol  REsource  SET）が利用されることが検討されている。
【００１４】
ＣＯＲＥＳＥＴは、下り制御チャネル（例えば、ＰＤＣＣＨ（Physical  Downlink  Control  Channel））の割当て候補領域である。ＣＯＲＥＳＥＴは、所定の周波数領域リソースと時間領域リソース（例えば１又は２ＯＦＤＭシンボルなど）を含んで構成されてもよい。ＰＤＣＣＨ（又はＤＣＩ）は、ＣＯＲＥＳＥＴ内の所定のリソース単位にマッピングされる。
【００１５】
当該所定のリソース単位は、例えば、制御チャネル要素（ＣＣＥ：Control  Channel  Element）、一以上のＣＣＥを含むＣＣＥグループ、一以上のリソース要素（ＲＥ：Resource  Element）を含むリソース要素グループ（ＲＥＧ：Resource  Element  Group）、一以上のＲＥＧバンドル（ＲＥＧグループ）、物理リソースブロック（ＰＲＢ：Physical  Resource  Block）の少なくとも一つであればよい。
【００１６】
ユーザ端末は、ＣＯＲＥＳＥＴ内のサーチスペース（ＳＳ）を監視（monitor）（ブラインド復号）して当該ユーザ端末に対するＤＣＩを検出する。当該サーチスペースには、一以上のユーザ端末に共通の（セル固有の）ＤＣＩの監視に用いられるサーチスペース（共通サーチスペース（ＣＳＳ：Common  Search  Space））と、ユーザ端末固有のＤＣＩの監視に用いられるサーチスペース（ユーザ固有サーチスペース（ＵＳＳ：User-specific  Search  Space））とが含まれてもよい。
【００１７】
ＣＳＳには、以下の少なくとも一つが含まれてもよい。
・タイプ０−ＰＤＣＣＨ  ＣＳＳ
・タイプ０Ａ−ＰＤＣＣＨ  ＣＳＳ
・タイプ１−ＰＤＣＣＨ  ＣＳＳ
・タイプ２−ＰＤＣＣＨ  ＣＳＳ
・タイプ３−ＰＤＣＣＨ  ＣＳＳ
【００１８】
タイプ０−ＰＤＣＣＨ  ＣＳＳは、ＳＩＢ１用のＳＳ、ＲＭＳＩ（Remaining  Minimum  System  Information）用のＳＳ等とも呼ばれる。タイプ０−ＰＤＣＣＨ  ＣＳＳは、所定の識別子（例えば、ＳＩ−ＲＮＴＩ：System  Information−Radio  Network  Temporary  Identifier）で巡回冗長検査（ＣＲＣ：Cyclic  Redundancy  Check）スクランブルされるＤＣＩ用のサーチスペース（ＳＩＢ１を伝送する下り共有チャネル（ＰＤＳＣＨ：Physical  Downlink  Shared  Channel）をスケジューリングするＤＣＩのモニタリング用のサーチスペース）であってもよい。
【００１９】
ここで、ＣＲＣスクランブルとは、ＤＣＩに対して、所定の識別子でスクランブル（マスク）されるＣＲＣビットを付加する（含める）ことである。
【００２０】
タイプ０Ａ−ＰＤＣＣＨ  ＣＳＳは、ＯＳＩ（Other  System  Information）用のＳＳ等とも呼ばれる。タイプ０Ａ−ＰＤＣＣＨ  ＣＳＳは、所定の識別子（例えば、ＳＩ−ＲＮＴＩ、Ｃ−ＲＮＴＩ（Cell−RNTI）、ＭＣＳ−Ｃ−ＲＮＴＩ（Modulation  and  Coding  Scheme−Cell−RNTI）、ＣＳ−ＲＮＴＩ（Configured  Scheduling  RNTI））でＣＲＣスクランブルされるＤＣＩ用のサーチスペース（ＯＳＩを伝送するＰＤＳＣＨをスケジューリングするＤＣＩのモニタリング用のサーチスペース）であってもよい。
【００２１】
タイプ１−ＰＤＣＣＨ  ＣＳＳは、ランダムアクセス（ＲＡ）用のＳＳ等とも呼ばれる。タイプ１−ＰＤＣＣＨ  ＣＳＳは、所定の識別子（例えば、ＲＡ−ＲＮＴＩ（Random  Access−RNTI）、ＴＣ−ＲＮＴＩ（Temporary  Cell−RNTI）、Ｃ−ＲＮＴＩ、ＭＣＳ−Ｃ−ＲＮＴＩ、ＣＳ−ＲＮＴＩ）でＣＲＣスクランブルされるＤＣＩ用のサーチスペース（ＲＡ手順用のメッセージ（例えば、ランダムアクセス応答（Random  Access  Response：ＲＡＲ、メッセージ２）、衝突解決用メッセージ（メッセージ４））を伝送するＰＤＳＣＨをスケジューリングするＤＣＩのモニタリング用のサーチスペース）であってもよい。
【００２２】
タイプ２−ＰＤＣＣＨ  ＣＳＳは、ページング用のＳＳ等とも呼ばれる。タイプ２−ＰＤＣＣＨ  ＣＳＳは、所定の識別子（例えば、Ｐ−ＲＮＴＩ（Paging−RNTI）、Ｃ−ＲＮＴＩ、ＭＣＳ−Ｃ−ＲＮＴＩ、ＣＳ−ＲＮＴＩ）でＣＲＣスクランブルＤＣＩ用のサーチスペース（ページングを伝送するＰＤＳＣＨをスケジューリングするＤＣＩのモニタリング用のサーチスペース）であってもよい。
【００２３】
タイプ３−ＰＤＣＣＨ  ＣＳＳは、所定の識別子（例えば、ＤＬプリエンプション指示用のＩＮＴ−ＲＮＴＩ（Interruption  RNTI）、スロットフォーマット指示用のＳＦＩ−ＲＮＴＩ（Slot  Format  Indicator  RNTI）、ＰＵＳＣＨ（Physical  Uplink  Shared  Channel）の送信電力制御（ＴＰＣ：Transmit  Power  Control）用のＴＰＣ−ＰＵＳＣＨ−ＲＮＴＩ、ＰＵＣＣＨ（Physical  Uplink  Control  Channel）のＴＰＣ用のＴＰＣ−ＰＵＣＣＨ−ＲＮＴＩ、ＳＲＳ（Sounding  Reference  Signal）のＴＰＣ用のＴＰＣ−ＳＲＳ−ＲＮＴＩ、Ｃ−ＲＮＴＩ、ＭＣＳ−Ｃ−ＲＮＴＩ、ＣＳ−ＲＮＴＩ、ＳＰ−ＣＳＩ−ＲＮＴＩ（Semi-Persistent-CSI-RNTI））でＣＲＣスクランブルＤＣＩ用のサーチスペースであってもよい。
【００２４】
また、ＵＳＳは、所定の識別子（例えば、Ｃ−ＲＮＴＩ、ＭＣＳ−Ｃ−ＲＮＴＩ、ＣＳ−ＲＮＴＩ、又はＳＰ−ＣＳＩ−ＲＮＴＩ）でＣＲＣスクランブルされるＣＲＣビットが付加される（含まれる）ＤＣＩ用のサーチスペースであってもよい。
【００２５】
ところで、ＮＲにおける初期アクセスでは、同期信号ブロック（ＳＳＢ：Synchronization  Signal  Block、ＳＳ／ＰＢＣＨブロック）の検出、ブロードキャストチャネル（ＰＢＣＨ：Physical  Broadcast  Channel、Ｐ−ＢＣＨ等ともいう）によって伝送されるブロードキャスト情報（例えば、マスタ情報ブロック（ＭＩＢ：Master  Information  Block））の取得、ランダムアクセスによる接続の確立の少なくとも一つが行われる。
【００２６】
例えば、ユーザ端末（User  Equipment：ＵＥ）は、検出されたＳＳＢに基づいて、タイプ０−ＰＤＣＣＨ  ＣＳＳ用のＣＯＲＥＳＥＴと、ＰＤＣＣＨモニタリングオケージョン（occasion、機会）を決定する。ＵＥは、タイプ０−ＰＤＣＣＨ  ＣＳＳを、ＣＯＲＥＳＥＴ＃０及びサーチスペース＃０によって特定してもよい。
【００２７】
ＣＯＲＥＳＥＴ＃０は、ＳＩＢ１を伝送する下り共有チャネル（例えば、ＰＤＳＣＨ：Physical  Downlink  Shared  Channel）のスケジューリング用のＰＤＣＣＨ（又はＤＣＩ）が配置されるＣＯＲＥＳＥＴであってもよい。ＣＯＲＥＳＥＴ＃０は、ＣＯＲＥＳＥＴ  ＩＤ（ControlResourceSetId）＝０を有するＣＯＲＥＳＥＴであってもよい。ＣＯＲＥＳＥＴ＃０は、初期アクセスにおけるＳＳＢの受信と、システム情報においてＣＯＲＥＳＥＴを示す情報と、の少なくとも１つによって決定されるＣＯＲＥＳＥＴであってもよい。サーチスペース＃０は、初期アクセスにおけるＳＳＢの受信と、システム情報においてサーチスペースを示す情報と、の少なくとも１つによって決定されるサーチスペースであってもよい。
【００２８】
その後、ＵＥは、ＰＤＣＣＨモニタリングオケージョンにおけるタイプ０−ＰＤＣＣＨ  ＣＳＳをモニタし、受信したＰＤＣＣＨによってスケジュールされるＰＤＳＣＨにおいて、システム情報（例えば、ＳＩＢ１、ＲＭＳＩ）を受信する。
【００２９】
ＯＳＩ用サーチスペース（ＯＳＩサーチスペース）、ページング用サーチスペース（ページングサーチスペース）などのサーチスペース（SearchSpace、又はサーチスペースＩＤ（SearchSpaceId））は、１つのＣＯＲＥＳＥＴ（又はＣＯＲＥＳＥＴ  ＩＤ（ControlResourceSetId））に紐付けられ（associated）てもよい。ＯＳＩサーチスペース及びページングサーチスペースは、ＣＯＲＥＳＥＴ＃０（ControlResourceSetZero）に紐付けられてもよいし、共通ＣＯＲＥＳＥＴ（commonControlResourceSet）に紐付けられてもよい。
【００３０】
共通ＣＯＲＥＳＥＴは、ＣＯＲＥＳＥＴ＃０（ControlResourceSetId=0）以外で、ＲＡＲ（Random  Access  Response）、ページング、システム情報（ＳＩＢ１、ＯＳＩ）の少なくとも１つを伝送する下り共有チャネルのスケジューリング用のＰＤＣＣＨが配置されることができるＣＯＲＥＳＥＴであってもよい。
【００３１】
システム情報（例えば、ＳＩＢ１）は、共通ＰＤＣＣＨ設定情報（PDCCH-ConfigCommon）を含んでもよい。共通ＰＤＣＣＨ設定情報は、ＣＯＲＥＳＥＴの情報として、ＣＯＲＥＳＥＴ＃０情報（controlResourceSetZero）、共通ＣＯＲＥＳＥＴ情報（commonControlResourceSet）を含んでもよい。共通ＰＤＣＣＨ設定情報は更に、サーチスペースの情報として、サーチスペース＃０情報（searchSpaceZero）、ＳＩＢ１用サーチスペース（タイプ０−ＰＤＣＣＨ  ＣＳＳ）情報（searchSpaceSIB1）、ＯＳＩ用サーチスペース（タイプ０Ａ−ＰＤＣＣＨ  ＣＳＳ）情報（searchSpaceOtherSystemInformation）、ページングサーチスペース（タイプ２−ＰＤＣＣＨ  ＣＳＳ）情報（pagingSearchSpace）、ランダムアクセスサーチスペース（タイプ１−ＰＤＣＣＨ  ＣＳＳ）情報（ra-SearchSpace）、の少なくとも１つを含んでもよい。
【００３２】
（ＱＣＬ）
ＵＥは、ＣＯＲＥＳＥＴ及びサーチスペースにおけるＰＤＣＣＨの復調用参照信号（ＤＭＲＳ：Demodulation  Reference  Signal）のアンテナポートと、検出したＳＳＢとが、擬似コロケーション（ＱＣＬ：Quasi-Co-Location）の関係にあると想定してもよい。
【００３３】
ＱＣＬとは、チャネル及び信号の少なくとも一つ（チャネル／信号）の統計的性質を示す指標である。例えば、ある信号と他の信号がＱＣＬの関係である場合、これらの異なる複数の信号間において、ドップラーシフト（Doppler  shift）、ドップラースプレッド（Doppler  spread）、平均遅延（average  delay）、遅延スプレッド（delay  spread）、空間パラメータ（Spatial  parameter）（例えば、空間受信パラメータ（Spatial  Rx  Parameter））の少なくとも１つが同一である（これらの少なくとも１つに関してＱＣＬである）と仮定できることを意味してもよい。
【００３４】
ＱＣＬに関する情報は、送信構成指示（ＴＣＩ：Transmission  Configuration  Indication又はTransmission  Configuration  Indicator）の状態（ＴＣＩ状態（TCI-state））と呼ばれてもよい。ＴＣＩ状態は、所定の識別子（ＴＣＩ状態ＩＤ（TCI-StateId））によって識別されてもよい。
【００３５】
ＱＣＬは、複数のタイプ（ＱＣＬタイプ）が規定されてもよい。例えば、同一であると仮定できるパラメータ（又はパラメータセット）が異なる４つのＱＣＬタイプＡ−Ｄが設けられてもよく、以下に当該パラメータについて示す：
・ＱＣＬタイプＡ：ドップラーシフト、ドップラースプレッド、平均遅延及び遅延スプレッド
・ＱＣＬタイプＢ：ドップラーシフト及びドップラースプレッド
・ＱＣＬタイプＣ：ドップラーシフト及び平均遅延
・ＱＣＬタイプＤ：空間受信パラメータ
【００３６】
なお、「複数のチャネル／信号間でＴＣＩ状態が同一又は異なる」とは、「複数のチャネル／信号が異なる又は同一のビーム（又は送受信ポイント（ＴＲＰ：Transmission  and  Reception  Point））を用いて送信又は受信されること」と同義である。ユーザ端末は、ＴＣＩ状態が異なる場合、異なるビーム（ＴＲＰ）からチャネル／信号が送信されると想定できる。また、「ＴＲＰ」は、ネットワーク、基地局、アンテナ装置、アンテナパネル、サービングセル、セル、コンポーネントキャリア（ＣＣ）又はキャリア等と、言い換えられてもよい。
【００３７】
ＰＤＣＣＨ（ＰＤＣＣＨのＤＭＲＳ）とＱＣＬである信号（例えば、ＤＬ−ＲＳ（DownLink−Reference  Signal）、ＳＳＢ、ＣＳＩ−ＲＳ）は、ＰＤＣＣＨのＱＣＬソース（ＱＣＬリファレンス、ＱＣＬ参照信号）、ＰＤＣＣＨ用ＴＣＩ状態と呼ばれてもよい。ＵＥは、ＰＤＣＣＨ、ＰＤＣＣＨモニタリングオケージョン、サーチスペース、ＣＯＲＥＳＥＴの少なくとも１つに、ＱＣＬソースを関連付けてもよい（セットしてもよい）。
【００３８】
ＵＥは、共通ＣＯＲＥＳＥＴの設定情報（例えば、commonControlResourceSet、ControlResourceSet）によって、ＰＤＣＣＨ用ＴＣＩ状態のリスト（tci-StatesPDCCH-ToAddList）を設定されてもよい。ＵＥは、リスト内の１つのＰＤＣＣＨ用ＴＣＩ状態（tci-StatesPDCCH）を指示するＭＡＣ  ＣＥ（アクティベーション用ＭＡＣ  ＣＥ）を受信し、当該ＭＡＣ  ＣＥに指示されたＰＤＣＣＨ用ＴＣＩ状態をアクティブ化してもよい。
【００３９】
（ＰＤＣＣＨモニタリングオケージョン）
図１に示すように、ＮＲでは、ＵＥが、システム情報（System  Information：ＳＩ）メッセージの受信用のＳＩウィンドウ（ＳＩウィンドウ長（si-WIndowLength）、周期（si-Periodicity））を、上位レイヤシグナリング（例えば、ＳＩＢ１、SI-SchedulingInfo）によって設定されてもよい。
【００４０】
また、ＵＥは、ＳＩウィンドウ内のシステム情報（Other  System  Information：ＯＳＩ、ＳＩＢ１以外のシステム情報）用のサーチスペース（ＯＳＩサーチスペース、searchSpaceOtherSystemInformation、osi-SearchSpace）を、上位レイヤシグナリング（例えば、ＳＩＢ１、ServingCellConfigCommonSIB、DownlinkConfigCommonSIB、BWP-DownlinkCommon、PDCCH-ConfigCommon）によって設定されてもよい。
【００４１】
サーチスペース（SearchSpace）は、ＳＩウィンドウ内の少なくとも１つのＰＤＣＣＨモニタリングスロット（例えば、スロット単位の周期及びオフセット（monitoringSlotPeriodicityAndOffset）、スロット単位の時間長（例えば、duration））、ＰＤＣＣＨモニタリングスロット内のＰＤＣＣＨモニタリングオケージョン（例えば、ＰＤＣＣＨモニタリングスロット内のモニタリングシンボル数（monitoringSymbolsWithinSlot））などを示してもよい。
【００４２】
これらの設定によって、ＵＥは、ＳＩウィンドウ内のＰＤＣＣＨモニタリングオケージョンにおいて、ＰＤＣＣＨをモニタできる。
【００４３】
ＰＤＣＣＨモニタリングオケージョン及びＳＳＢの間のデフォルトの紐付けのケース（ＯＳＩサーチスペース情報（osi-SearchSpace）が設定されない場合）において、ＳＩウィンドウにおけるＳＩメッセージ用のＰＤＣＣＨモニタリングオケージョンは、ＲＭＳＩ（ＳＩＢ１）用のＰＤＣＣＨモニタリングオケージョンと同じであり、ＰＤＣＣＨモニタリングオケージョン及びＳＳＢの間のマッピングが仕様に規定されてもよい。
【００４４】
ＰＤＣＣＨモニタリングオケージョン及びＳＳＢの間のデフォルトではない紐付けのケース（ＯＳＩサーチスペース情報が設定された場合）において、ＳＩウィンドウ内のＫ番目のＰＤＣＣＨモニタリングオケージョンがＫ番目に送信されたＳＳＢに対応してもよい。
【００４５】
すなわち、ＵＥは、ＳＩウィンドウ内に設定されたＰＤＣＣＨモニタリングオケージョンのうち、Ｋ番目のＰＤＣＣＨモニタリングオケージョンにおけるＰＤＣＣＨ受信のＱＣＬソースとしてＫ番目に送信されたＳＳＢを用いてもよい（ＰＤＣＣＨモニタリングオケージョンとＳＳＢの紐付けルール）。ＵＥは、受信したＳＳＢの受信に基づいて、モニタするＰＤＣＣＨモニタリングオケージョンを決定できるため、設定された全てのＰＤＣＣＨモニタリングオケージョンをモニタする必要がない。
【００４６】
図１の例では、ＰＤＣＣＨモニタリングオケージョン＃０〜＃３は、時間方法に番号付けされ、送信されるＳＳＢ＃０〜＃３は、時間方向に番号付けされる。ＰＤＣＣＨモニタリングオケージョン＃０〜＃３は、ＳＳＢ＃０〜＃３にそれぞれ紐付けられる。
【００４７】
また、ＵＥは、上位レイヤシグナリング（例えば、ＳＩＢ１、ServingCellConfigCommonSIB、DownlinkConfigCommonSIB、ＰＣＣＨ（Paging  Control  CHannel：ＰＣＣＨ）設定情報（PCCH-Config））に基づいて、ページングのためのページングフレーム（Paging  Frame：ＰＦ）（例えば、周期、フレームオフセット、フレーム数など）を設定されてもよい。また、ＵＥは、ＵＥ  ＩＤと、上位レイヤシグナリング（例えば、ＳＩＢ１、ServingCellConfigCommonSIB、DownlinkConfigCommonSIB、PCCH-Config）とに基づいて、ページングフレーム内のページングオケージョン（Paging  Occasion：ＰＯ）の開始位置（最初のＰＤＣＣＨモニタリングオケージョン）を決定してもよい。
【００４８】
また、ＵＥは、ページング用のサーチスペース（ページングサーチスペース、pagingSearchSpace、paging-SearchSpace）を、上位レイヤシグナリング（例えば、ＳＩＢ１、ServingCellConfigCommonSIB、DownlinkConfigCommonSIB、BWP-DownlinkCommon、PDCCH-ConfigCommon）によって設定されてもよい。
【００４９】
本開示において、ＯＳＩサーチスペースは、ページングサーチスペースと読み替えられてもよい。ＳＩウィンドウは、ページングフレームと読み替えられてもよい。ＰＤＣＣＨモニタリングスロットは、ページングオケージョンと読み替えられてもよい。
【００５０】
アイドルモード（RRC_IDLE）のＵＥは、ページングフレーム内のページングオケージョン開始位置以降の有効なＰＤＣＣＨモニタリングオケージョン（ページングオケージョン内のＰＤＣＣＨモニタリングオケージョン）のうち、Ｋ番目のＰＤＣＣＨモニタリングオケージョンにおけるＰＤＣＣＨ受信のＱＣＬソースとしてＫ番目に送信されたＳＳＢを用いてもよい（ＰＤＣＣＨモニタリングオケージョンとＳＳＢの紐付けルール）。
【００５１】
また、ＮＷ（例えば、基地局）及びＵＥは、コネクテッドモード（RRC_CONNECTED）におけるブロードキャストＰＤＣＣＨ及び非ブロードキャストＰＤＣＣＨに対し、ＳＳＢ、ＣＯＲＥＳＥＴ＃０、サーチスペース＃０（どのＳＳＢに基づいてどのＣＯＲＥＳＥＴ＃０及びどのサーチスペース＃０をモニタするか）について、共通に認識することが検討されている。
【００５２】
インアクティブモード（RRC_INACTIVE）及びアイドルモード（RRC_IDLE）の両方におけるブロードキャストＰＤＣＣＨに対し、どのＳＳＢに基づいてどのサーチスペースをモニタするかはＵＥの実装に依存してもよい。インアクティブモードのＵＥ及びアイドルモードのＵＥは、ＵＬ信号を送信しないため、ＮＷは、そのＳＳＢに基づいてどのサーチスペースをモニタするかを知らなくてもよい。
【００５３】
アイドルモードのように、ＮＷが、各ＵＥに用いられているＱＣＬソース（ＳＳＢ、ビーム）を把握できない場合、ＵＥは、全てのＳＳＢに対応するＰＤＣＣＨモニタリングオケージョンを設定されたとしても、前述の紐付けルールを用いることによって、受信したＳＳＢに対応するＰＤＣＣＨモニタリングオケージョンのみをモニタすることができる。もし、この紐付けルールを用いない場合、ＵＥは、ＳＩウィンドウ内の全てのＰＤＣＣＨモニタリングオケージョンをモニタすることになってしまう。よって、紐付けルールを用いることによって、アイドルモードにおけるＵＥの消費電力を抑えることができる。
【００５４】
しかしながら、コネクテッドモードのように、ＮＷが、各ＵＥに用いられているＱＣＬソース（ＳＳＢ、ビーム）を把握できる場合、ＵＥ動作が明らかでない。
【００５５】
例えば、ＯＳＩサーチスペース又はページングサーチスペースに対して共通ＣＯＲＥＳＥＴが紐付けられた場合、共通ＣＯＲＥＳＥＴの設定情報内のＰＤＣＣＨ用ＴＣＩ状態（tci-StatesPDCCH、tci-StatesPDCCH-ToAddList）が何を意味するのかが明らかでない。もし紐付けルールを適用すると、ＰＤＣＣＨ用ＴＣＩ状態が不要であるのか、ＵＥがＰＤＣＣＨ用ＴＣＩ状態を無視するのかが明らかでない。
【００５６】
例えば、ＯＳＩサーチスペース又はページングサーチスペースに対してＣＯＲＥＳＥＴ＃０に紐付けられた場合、現状では、ＣＯＲＥＳＥＴ＃０に対してＰＤＣＣＨ用ＴＣＩ状態を設定できない。紐付けルールを適用するか否かが明らかでない。もし紐付けルールを適用すると、ＵＥが、モニタするＰＤＣＣＨモニタリングオケージョンを決定する場合に、ＮＷがそれをどのように認識するか、ＮＷが、ＵＥにモニタされるＰＤＣＣＨモニタリングオケージョンを決定する場合に、どのようにＵＥに設定するか、が明らかでない。
【００５７】
そこで、本発明者らは、コネクテッドモードのＵＥが、適切なＱＣＬソースを用いて、システム情報（例えば、ＯＳＩ）又はページングのためのＰＤＣＣＨを受信する方法を着想した。本開示の一態様によれば、ＮＷ及びＵＥにおいて、ＰＤＣＣＨモニタリングオケージョン及びＱＣＬソースの認識を合わせることができる。本開示の一態様によれば、不要なＰＤＣＣＨモニタリングを防ぐことができる。また、本開示の一態様によれば、システム性能の向上、ＵＥ負荷の低減を実現できる。
【００５８】
以下、本開示に係る実施形態について、図面を参照して詳細に説明する。各実施形態に係る無線通信方法は、それぞれ単独で適用されてもよいし、組み合わせて適用されてもよい。
【００５９】
以下では、コネクテッドモードのＵＥ及びＮＷの動作について説明する。以下では、主にＱＣＬソースがＳＳＢである場合について説明するが、ＳＳＢは、ＣＳＩ−ＲＳなど他のＲＳに言い換えられてもよい。
【００６０】
（無線通信方法）
（態様１）
ＵＥは、ＯＳＩ又はページングのためのＰＤＣＣＨがどのＣＯＲＥＳＥＴにおいて送信されているかによって、ＱＣＬソース認識方法（ＰＤＣＣＨモニタリングオケージョン及びＱＣＬソースの認識方法）を決定してもよい。ＵＥは、ＯＳＩ又はページングのために設定されたＣＯＲＥＳＥＴによって、ＱＣＬソース認識方法を決定してもよい。ＵＥは、認識したＱＣＬソース（ＤＬ−ＲＳを示すインデックス、ＳＳＢインデックス、ＣＳＩ−ＲＳリソースインデックスなど）を用いてＰＤＣＣＨをモニタしてもよい。
【００６１】
＜態様１−１＞
ＯＳＩ又はページングのためのサーチスペースに紐付けられたＣＯＲＥＳＥＴがＣＯＲＥＳＥＴ＃０である場合、ＵＥは、紐付けルールに基づいてＱＣＬソースを認識してもよい。
【００６２】
ＯＳＩに対する紐付けルールは、ＳＩウィンドウ内に設定されたＰＤＣＣＨモニタリングオケージョンのうち、Ｋ番目のＰＤＣＣＨモニタリングオケージョンにおけるＰＤＣＣＨ受信のＱＣＬソースとしてＫ番目に送信されたＳＳＢを用いることであってもよい。ページングに対する紐付けルールは、ページングフレーム内のページングオケージョン開始位置以降の有効なＰＤＣＣＨモニタリングオケージョンのうち、Ｋ番目のＰＤＣＣＨモニタリングオケージョンにおけるＰＤＣＣＨ受信のＱＣＬソースとしてＫ番目に送信されたＳＳＢを用いることであってもよい。
【００６３】
実際に送信されているＳＳＢの数がＮであるとする。ＵＥは、１つのＳＩウィンドウに含まれるＮ以上のＰＤＣＣＨモニタリングオケージョンを、ＯＳＩサーチスペースの設定情報によって設定されてもよい。また、ＵＥは、１つのページングフレーム内のページングオケージョンに含まれるＮ以上のＰＤＣＣＨモニタリングオケージョンを、ページングチャネルの設定情報によって設定されてもよい。
【００６４】
《ＰＤＣＣＨモニタリングオケージョンの数がＳＳＢの数より多い場合》
ＯＳＩ又はページングに対して設定されたＰＤＣＣＨモニタリングオケージョンの数がＮより多い場合、ＵＥは、次のモニタリング方法１、２の１つに従って、ＰＤＣＣＨモニタリングを行ってもよい。
【００６５】
・モニタリング方法１
ＵＥは、紐付けルールに従ってＰＤＣＣＨモニタリングオケージョンとＳＳＢの紐付けが繰り返されると想定し、Ｎ番目より後のＰＤＣＣＨモニタリングオケージョンにＳＳＢを紐付け、当該ＰＤＣＣＨモニタリングオケージョンにおいて、紐付けられたＳＳＢを用いてモニタリングを行う。
【００６６】
例えば、ＳＳＢ＃０〜＃７が送信され（Ｎ＝８）、ＰＤＣＣＨモニタリングオケージョン＃０〜＃１５が設定される場合、ＰＤＣＣＨモニタリングオケージョン＃０、＃８がＳＳＢ＃０に紐付けられる。ＳＳＢ＃０を受信したＵＥは、ＰＤＣＣＨモニタリングオケージョン＃０、＃８においてＰＤＣＣＨモニタリングを行ってもよい。
【００６７】
・モニタリング方法２
ＵＥは、Ｎ番目より後のＰＤＣＣＨモニタリングオケージョンにＳＳＢを紐付けないと想定し、当該ＰＤＣＣＨモニタリングオケージョンにおいてモニタリングを行わない。
【００６８】
例えば、ＳＳＢ＃０〜＃７が送信され（Ｎ＝８）、ＰＤＣＣＨモニタリングオケージョン＃０〜＃１５が設定される場合、ＰＤＣＣＨモニタリングオケージョン＃０がＳＳＢ＃０に紐付けられる。ＳＳＢ＃０を受信したＵＥは、ＰＤＣＣＨモニタリングオケージョン＃０においてＰＤＣＣＨモニタリングを行ってもよい。
【００６９】
これらのモニタリング方法によれば、ＯＳＩ又はページングに対して設定されたＰＤＣＣＨモニタリングオケージョンの数がＮより多い場合であっても、ＵＥは、ＰＤＣＣＨを適切にモニタすることができる。
【００７０】
《ＰＤＣＣＨモニタリングオケージョン及びＱＣＬソースの認識方法》
ＮＷ及びＵＥは、次の認識方法１、２の１つに従って、ＵＥにモニタされるＰＤＣＣＨモニタリングオケージョン及びＱＣＬソースの認識を合わせてもよい。
【００７１】
・認識方法１
ＵＥが、受信したＳＳＢに基づいて、ＯＳＩ又はページングのためのＰＤＣＣＨモニタリングに用いるＱＣＬソースを決定してもよい。ＵＥは、受信したＳＳＢに基づいて、複数のＰＲＡＣＨ候補の中からＰＲＡＣＨ（Physical  Random  Access  CHannel）を選択してもよい。ＮＷ及びＵＥは、直前に成功したランダムアクセス手順におけるＰＲＡＣＨに対応するＳＳＢを、ＯＳＩ又はページングのためのＰＤＣＣＨモニタリングに用いるＱＣＬソースとして認識してもよい。ＮＷ及びＵＥは、ランダムアクセス手順が成功する度に、ＱＣＬソースを維持又は更新してもよい。
【００７２】
・認識方法２
ＮＷが、ＯＳＩ又はページングのためのＰＤＣＣＨモニタリングに用いるＱＣＬソースを決定してもよい。ＮＷは、ＭＡＣ  ＣＥ又はＤＣＩを用いて、当該ＱＣＬソースをＵＥへ通知してもよい。
【００７３】
図２の例では、ＵＥは、送信されるＳＳＢ＃０〜＃３のそれぞれに紐付けられたＰＤＣＣＨモニタリングオケージョン＃０〜＃３を設定される。ＮＷ及びＵＥは、認識方法１又は２によってＳＳＢ＃０を、ＰＤＣＣＨのＱＣＬソースとして認識したとする。ＵＥは、ＱＣＬソースであるＳＳＢ＃０に紐付けられたＰＤＣＣＨモニタリングオケージョン＃０のみにおいて、ＳＳＢ＃０を用いてモニタリングを行ってもよい。ＮＷは、ＱＣＬソースであるＳＳＢ＃０に紐付けられたＰＤＣＣＨモニタリングオケージョン＃０のみにおいて、ＳＳＢ＃０を用いてＰＤＣＣＨを送信してもよい。
【００７４】
これらのＰＤＣＣＨモニタリングオケージョン認識方法によれば、ＮＷ及びＵＥは、ＵＥにモニタされるＰＤＣＣＨモニタリングオケージョン（ＱＣＬソース）の認識を合わせることができる。
【００７５】
以上から、ＯＳＩ又はページングのためのＣＯＲＥＳＥＴがＣＯＲＥＳＥＴ＃０である場合であっても、ＮＷ及びＵＥは、モニタされるＰＤＣＣＨモニタリングオケージョン及びＱＣＬソースの認識を合わせることができ、ＰＤＣＣＨの送受信を適切に行うことができる。また、ＮＷ及びＵＥは、設定された複数のＰＤＣＣＨモニタリングオケージョンのうち、モニタされるＰＤＣＣＨモニタリングオケージョンを、認識したＱＣＬソースに応じて限定できるため、ＵＥの負荷、ＰＤＣＣＨのためのリソース量を抑えることができる。
【００７６】
＜態様１−２＞
ＯＳＩ又はページングのためのサーチスペースに紐付けられたＣＯＲＥＳＥＴがＣＯＲＥＳＥＴ＃０以外（例えば、共通ＣＯＲＥＳＥＴ）である場合、ＵＥは、ＰＤＣＣＨ用ＴＣＩ状態に基づいてＱＣＬソースを認識してもよい。当該ＣＯＲＥＳＥＴの設定情報は、ＰＤＣＣＨ用ＴＣＩ状態を含んでもよいし、複数のＰＤＣＣＨ用ＴＣＩ状態のリストを含んでもよい。
【００７７】
Ｎ個のＳＳＢが送信される場合、ＰＤＣＣＨ用ＴＣＩ状態のリストは、Ｎ個のＳＳＢ（インデックス）をそれぞれ示すＮ個のＰＤＣＣＨ用ＴＣＩ状態を含んでもよい。ＵＥは、ＭＡＣ  ＣＥによって、リスト内の１つをアクティブ化してもよい。
【００７８】
ＵＥは、次の設定方法１、２の１つに従って、ＰＤＣＣＨモニタリングオケージョンを設定されてもよい。
【００７９】
・設定方法１
ＵＥは、サーチスペース（ＯＳＩサーチスペース又はページングサーチスペース）の設定情報によって、１つのＳＳＢに対応する少なくとも１つのＰＤＣＣＨモニタリングオケージョンを設定されてもよい。
【００８０】
ＵＥは、アクティブなＰＤＣＣＨ用ＴＣＩ状態を、設定されたＰＤＣＣＨモニタリングオケージョンのＱＣＬソースとしてモニタリングに用いてもよい。ＵＥは、ＳＩウィンドウ（ページングフレーム内のページングオケージョン）内に複数のＰＤＣＣＨモニタリングオケージョンを設定された場合、設定された複数のＰＤＣＣＨモニタリングオケージョンの全てを、対応する１つのＱＣＬソースを用いてモニタしてもよい。
【００８１】
ＵＥは、モニタするＰＤＣＣＨモニタリングオケージョン（例えば、シンボル位置）の切替（切替先）を示す情報を、ＲＲＣ再設定情報（RRCReconfigurationメッセージ）によって受信してもよい。この場合、ＮＷは、モニタされるＰＤＣＣＨモニタリングオケージョンを柔軟に切り替えることができる。例えば、ＮＷは、同じＱＣＬソースを用いるＰＤＣＣＨモニタリングオケージョンを切り替えることができる。
【００８２】
ＵＥは、設定されたＰＤＣＣＨモニタリングオケージョンにおいて、アクティブなＰＤＣＣＨ用ＴＣＩ状態を用いてＰＤＣＣＨをモニタしてもよい。この場合、ＮＷは、モニタリングに用いられるＱＣＬソースを柔軟に切り替えることができる。例えば、ＮＷは、同じＰＤＣＣＨモニタリングオケージョンに用いられるＱＣＬソースを切り替えることができる。
【００８３】
ＵＥが、１つのＳＳＢに対応する複数のＰＤＣＣＨモニタリングオケージョンを設定される場合、ＮＷは、複数のＰＤＣＣＨモニタリングオケージョン（複数の候補）の少なくとも１つにおいて、ＰＤＣＣＨを送信すればよいため、他の優先度の高いデータが発生した場合などに、実際にＰＤＣＣＨを送信するＰＤＣＣＨモニタリングオケージョンを柔軟に決定できる。よって、ＰＤＣＣＨ及びＰＤＳＣＨ（ＯＳＩ又はページング）のスケジューリングの柔軟性を高めることができる。また、複数のＰＤＣＣＨモニタリングオケージョンのそれぞれにおいてＰＤＣＣＨが繰り返し送信される場合、ＵＥは、複数のＰＤＣＣＨモニタリングオケージョンの少なくとも１つにおいて、ＰＤＣＣＨを受信すればよいため、ＰＤＣＣＨの受信性能を高めることができる。
【００８４】
図３の例では、ＵＥは、ＰＤＣＣＨモニタリングオケージョン＃０、＃１を設定される。ＵＥは、ＰＤＣＣＨ用ＴＣＩ状態としてＳＳＢ＃０をアクティブ化されると、ＳＳＢ＃０をＰＤＣＣＨのＱＣＬソースとして認識する。ＵＥは、設定された全てのＰＤＣＣＨモニタリングオケージョン＃０、＃１において、ＱＣＬソースであるＳＳＢ＃０を用いてモニタリングを行う。ＮＷは、設定された全てのＰＤＣＣＨモニタリングオケージョン＃０、＃１において、ＱＣＬソースであるＳＳＢ＃０を用いてＰＤＣＣＨを送信する。
【００８５】
ＵＥが、１つのＳＳＢに対応する１つのＰＤＣＣＨモニタリングオケージョンを設定される場合、ＰＤＣＣＨのためのリソース量、ＵＥの負荷を抑えることができる。
【００８６】
この設定方法１によれば、ＵＥは、ＰＤＣＣＨ用ＴＣＩ状態を用いて、ＰＤＣＣＨモニタリングオケージョンに用いるＱＣＬリソースを適切に決定することができる。また、サーチスペースの設定情報によって１つのＰＤＣＣＨ用ＴＣＩ状態に対応するＰＤＣＣＨモニタリングオケージョンを設定するため、ＵＥの負荷、ＰＤＣＣＨのためのリソース量を抑えることができる。
【００８７】
・設定方法２
実際に送信されているＳＳＢの数がＮであるとする。ＵＥは、１つのＳＩウィンドウに含まれるＮ個のＰＤＣＣＨモニタリングオケージョンを、サーチスペースの設定情報によって設定されてもよい。
【００８８】
例えば、ＵＥは、１つのＳＩウィンドウに含まれるＮ個のＰＤＣＣＨモニタリングオケージョンを、ＯＳＩサーチスペースの設定情報によって設定されてもよい。例えば、ＵＥは、１つのページングフレーム内のページングオケージョンに含まれるＮ個のＰＤＣＣＨモニタリングオケージョンを、ページングチャネルの設定情報によって設定されてもよい。
【００８９】
ＳＳＢ（ＳＳＢインデックス）の代わりにＣＳＩ−ＲＳ（ＣＳＩ−ＲＳリソースインデックス）など他のＲＳが用いられてもよい。ＯＳＩに対する紐付けルールは、ＳＩウィンドウ内に設定されたＰＤＣＣＨモニタリングオケージョンのうち、Ｋ番目のＰＤＣＣＨモニタリングオケージョンにおけるＰＤＣＣＨ受信のＱＣＬソースとしてＫ番目のＣＳＩ−ＲＳリソースインデックスを有するＣＳＩ−ＲＳを用いることであってもよい。ページングに対する紐付けルールは、ページングフレーム内のページングオケージョン開始位置以降の有効なＰＤＣＣＨモニタリングオケージョンのうち、Ｋ番目のＰＤＣＣＨモニタリングオケージョンにおけるＰＤＣＣＨ受信のＱＣＬソースとしてＫ番目ＣＳＩ−ＲＳリソースインデックスを有するＣＳＩ−ＲＳを用いることであってもよい。
【００９０】
ＵＥは、ＰＤＣＣＨ用ＴＣＩ状態のリスト内の１つをＭＡＣ  ＣＥによってアクティブ化してもよい。
【００９１】
ＵＥは、紐付けルールに基づいて、アクティブなＰＤＣＣＨ用ＴＣＩ状態に対応するＰＤＣＣＨモニタリングオケージョンを決定し、決定されたＰＤＣＣＨモニタリングオケージョンにおいて、アクティブなＰＤＣＣＨ用ＴＣＩ状態を用いてＰＤＣＣＨをモニタしてもよい。この場合、ＮＷは、モニタリングに用いられるＱＣＬソースと、モニタされるＰＤＣＣＨモニタリングオケージョンと、を柔軟に切り替えることができる。
【００９２】
図４の例では、ＵＥは、送信されるＳＳＢ＃０〜＃３のそれぞれに紐付けられたＰＤＣＣＨモニタリングオケージョン＃０〜＃３を設定される。ＮＷ及びＵＥは、ＰＤＣＣＨ用ＴＣＩ状態としてＳＳＢ＃０をアクティブ化されると、アクティブなＰＤＣＣＨ用ＴＣＩ状態であるＳＳＢ＃０を、ＰＤＣＣＨのＱＣＬソースとして認識する。ＵＥは、ＱＣＬソースであるＳＳＢ＃０に紐付けられたＰＤＣＣＨモニタリングオケージョン＃０のみにおいて、ＳＳＢ＃０を用いてモニタリングを行ってもよい。ＮＷは、ＱＣＬソースであるＳＳＢ＃０に紐付けられたＰＤＣＣＨモニタリングオケージョン＃０のみにおいて、ＳＳＢ＃０を用いてＰＤＣＣＨを送信してもよい。
【００９３】
この設定方法２によれば、ＵＥは、ＰＤＣＣＨ用ＴＣＩ状態を用いて、ＰＤＣＣＨモニタリングオケージョンを適切に決定することができる。また、サーチスペースの設定情報によって設定された複数のＰＤＣＣＨモニタリングオケージョンを、アクティブなＰＤＣＣＨ用ＴＣＩ状態によって限定するため、ＵＥの負荷を抑えることができる。
【００９４】
また、ＵＥは、全てのＱＣＬソースを用いてＰＤＣＣＨモニタリングを行う必要がないため、ＵＥの負荷、ＰＤＣＣＨのためのリソース量を抑えることができる。
【００９５】
この態様１−２によれば、ＯＳＩ又はページングのためのＣＯＲＥＳＥＴがＣＯＲＥＳＥＴ＃０以外である場合であっても、ＮＷ及びＵＥは、モニタされるＰＤＣＣＨモニタリングオケージョン及びＱＣＬソースの認識を合わせることができ、ＰＤＣＣＨの送受信を適切に行うことができる。
【００９６】
（態様２）
ＵＥは、ＯＳＩ又はページングのためのＰＤＣＣＨがどのＣＯＲＥＳＥＴにおいて送信されているかによらず、ＱＣＬソースを認識してもよい。
【００９７】
ＵＥは、次の態様２−１、２−２の１つに従って、ＱＣＬソースを認識してもよい。
【００９８】
＜態様２−１＞
ＵＥは、ＯＳＩ又はページングのためのＰＤＣＣＨがどのＣＯＲＥＳＥＴにおいて送信されているかによらず、紐付けルールに基づいてＱＣＬソースを認識してもよい。
【００９９】
ＯＳＩ又はページングのためのサーチスペースに紐付けられたＣＯＲＥＳＥＴがＣＯＲＥＳＥＴ＃０である場合、ＮＷ及びＵＥは、態様１−１と同様に動作してもよい。
【０１００】
ＯＳＩ又はページングのためのサーチスペースに紐付けられたＣＯＲＥＳＥＴがＣＯＲＥＳＥＴ＃０以外（例えば、共通ＣＯＲＥＳＥＴ）である場合、ＵＥは、当該ＣＯＲＥＳＥＴの設定情報においてＰＤＣＣＨ用ＴＣＩ状態を設定されないと想定してもよいし、当該ＣＯＲＥＳＥＴの設定情報におけるＰＤＣＣＨ用ＴＣＩ状態を無視してもよい。この場合、ＮＷ及びＵＥは、態様１−１と同様に動作してもよい。
【０１０１】
この態様２−１によれば、ＯＳＩ又はページングのためのＣＯＲＥＳＥＴがＣＯＲＥＳＥＴ＃０であるか否かに関わらず、ＮＷ及びＵＥは、モニタされるＰＤＣＣＨモニタリングオケージョン及びＱＣＬソースの認識を合わせることができ、ＰＤＣＣＨの送受信を適切に行うことができる。また、ＮＷ及びＵＥは、設定された複数のＰＤＣＣＨモニタリングオケージョンのうち、モニタされるＰＤＣＣＨモニタリングオケージョンを、認識したＱＣＬソースに応じて限定できるため、ＵＥの負荷、ＰＤＣＣＨのためのリソース量を抑えることができる。
【０１０２】
＜態様２−２＞
ＵＥは、ＯＳＩ又はページングのためのＰＤＣＣＨがどのＣＯＲＥＳＥＴにおいて送信されているかによらず、ＰＤＣＣＨ用ＴＣＩ状態に基づいてＱＣＬソースを認識してもよい。
【０１０３】
ＯＳＩ又はページングのためのサーチスペースに紐付けられたＣＯＲＥＳＥＴがＣＯＲＥＳＥＴ＃０である場合、ＵＥは、ＰＤＣＣＨ用ＴＣＩ状態、又はそれに相当するパラメータを通知されてもよい。ＣＯＲＥＳＥＴ＃０におけるＰＤＣＣＨ用ＴＣＩ状態は、ＣＯＲＥＳＥＴ＃０の設定情報に含まれてもよいし、ＳＩＢ１に含まれてもよい。この場合、ＮＷ及びＵＥは、態様１−２と同様に動作してもよい。
【０１０４】
ＯＳＩ又はページングのためのサーチスペースに紐付けられたＣＯＲＥＳＥＴがＣＯＲＥＳＥＴ＃０以外（例えば、共通ＣＯＲＥＳＥＴ）である場合、ＮＷ及びＵＥは、態様１−２と同様に動作してもよい。
【０１０５】
この態様２−２によれば、ＯＳＩ又はページングのためのＣＯＲＥＳＥＴがＣＯＲＥＳＥＴ＃０であるか否かに関わらず、ＮＷ及びＵＥは、モニタされるＰＤＣＣＨモニタリングオケージョン及びＱＣＬソースの認識を合わせることができ、ＰＤＣＣＨの送受信を適切に行うことができる。また、１つのＰＤＣＣＨ用ＴＣＩ状態に対応するＰＤＣＣＨモニタリングオケージョンに限定するため、ＵＥの負荷、ＰＤＣＣＨのためのリソース量を抑えることができる。
【０１０６】
（態様３）
ＮＷ及びＵＥは、ＯＳＩ用ＰＤＣＣＨモニタリング（ＰＤＣＣＨモニタリングオケージョン及びＱＣＬソース）と、ページング用ＰＤＣＣＨモニタリング（ＰＤＣＣＨモニタリングオケージョン及びＱＣＬソース）と、に対して、態様１（第１動作）、態様２−１（第２動作）、態様２−２（第３動作）の中の異なる処理を適用してもよい。
【０１０７】
この態様３によれば、ＯＳＩ用ＰＤＣＣＨモニタリングと、ページング用ＰＤＣＣＨモニタリングと、を柔軟に設定できる。
【０１０８】
（態様４）
コネクテッドモード中のＲＭＳＩ（ＳＩＢ１）  ＰＤＣＣＨモニタリングにおいて、ＮＷ及びＵＥは、前述の認識方法１、２に従って、ＵＥにモニタされるＰＤＣＣＨモニタリングオケージョン及びＱＣＬソースの認識を合わせてもよい。ＵＥは、ＳＩＢ１サーチスペース（searchSpaceSIB1）の設定情報によって、ＳＩＢ１のためのＰＤＣＣＨモニタリングオケージョンを設定されてもよい。コネクテッドモード中のＵＥは、ＳＩＢ１の更新と、ハンドオーバと、ＰＳＣｅｌｌ又はＳＣｅｌｌ追加と、の少なくとも１つにおいてＲＭＳＩ  ＰＤＣＣＨモニタリングを行ってもよい。
【０１０９】
ＳＩＢ１のためのＰＤＣＣＨモニタリングオケージョンは、ＳＳＢに紐付けられる。ＵＥにモニタされるＰＤＣＣＨモニタリングオケージョン及びＱＣＬソースの認識方法（認識方法１又は２）は、ＯＳＩ用のＰＤＣＣＨモニタリングと、ページング用のＰＤＣＣＨモニタリングと、の少なくとも１つにおけるＰＤＣＣＨモニタリングオケージョン及びＱＣＬソースの認識方法と共通であってもよい。
【０１１０】
この態様４によれば、ＲＭＳＩ  ＰＤＣＣＨモニタリングにおいて、ＮＷ及びＵＥは、モニタされるＰＤＣＣＨモニタリングオケージョン及びＱＣＬソースの認識を合わせることができ、ＰＤＣＣＨの送受信を適切に行うことができる。
【０１１１】
（無線通信システム）
以下、本開示の一実施形態に係る無線通信システムの構成について説明する。この無線通信システムでは、本開示の上記各実施形態に係る無線通信方法のいずれか又はこれらの組み合わせを用いて通信が行われる。
【０１１２】
図５は、一実施形態に係る無線通信システムの概略構成の一例を示す図である。無線通信システム１は、３ＧＰＰ（Third  Generation  Partnership  Project）によって仕様化されるＬＴＥ（Long  Term  Evolution）、５Ｇ  ＮＲ（5th  generation  mobile  communication  system  New  Radio）などを用いて通信を実現するシステムであってもよい。
【０１１３】
また、無線通信システム１は、複数のＲＡＴ（Radio  Access  Technology）間のデュアルコネクティビティ（マルチＲＡＴデュアルコネクティビティ（ＭＲ−ＤＣ：Multi-RAT  Dual  Connectivity））をサポートしてもよい。ＭＲ−ＤＣは、ＬＴＥ（Ｅ−ＵＴＲＡ：Evolved  Universal  Terrestrial  Radio  Access）とＮＲとのデュアルコネクティビィティ（ＥＮ−ＤＣ：E-UTRA-NR  Dual  Connectivity）、ＮＲとＬＴＥとのデュアルコネクティビィティ（ＮＥ−ＤＣ：NR-E-UTRA  Dual  Connectivity）などを含んでもよい。
【０１１４】
ＥＮ−ＤＣでは、ＬＴＥ（Ｅ−ＵＴＲＡ）の基地局（ｅＮＢ）がマスターノード（ＭＮ：Master  Node）であり、ＮＲの基地局（ｇＮＢ）がセカンダリーノード（ＳＮ：Secondary  Node）である。ＮＥ−ＤＣでは、ＮＲの基地局（ｇＮＢ）がＭＮであり、ＬＴＥ（Ｅ−ＵＴＲＡ）の基地局（ｅＮＢ）がＳＮである。
【０１１５】
無線通信システム１は、同一のＲＡＴ内の複数の基地局間のデュアルコネクティビティ（例えば、ＭＮ及びＳＮの双方がＮＲの基地局（ｇＮＢ）であるデュアルコネクティビティ（ＮＮ−ＤＣ：NR-NR  Dual  Connectivity））をサポートしてもよい。
【０１１６】
無線通信システム１は、比較的カバレッジの広いマクロセルＣ１を形成する基地局１１と、マクロセルＣ１内に配置され、マクロセルＣ１よりも狭いスモールセルＣ２を形成する基地局１２（１２ａ−１２ｃ）と、を備えてもよい。ユーザ端末２０は、少なくとも１つのセル内に位置してもよい。各セル及びユーザ端末２０の配置、数などは、図に示す態様に限定されない。以下、基地局１１及び１２を区別しない場合は、基地局１０と総称する。
【０１１７】
ユーザ端末２０は、複数の基地局１０のうち、少なくとも１つに接続してもよい。ユーザ端末２０は、複数のコンポーネントキャリア（ＣＣ：Component  Carrier）を用いたキャリアアグリゲーション（Carrier  Aggregation）及びデュアルコネクティビティ（ＤＣ）の少なくとも一方を利用してもよい。
【０１１８】
各ＣＣは、第１の周波数帯（ＦＲ１：Frequency  Range  1）及び第２の周波数帯（ＦＲ２：Frequency  Range  2）の少なくとも１つに含まれてもよい。マクロセルＣ１はＦＲ１に含まれてもよいし、スモールセルＣ２はＦＲ２に含まれてもよい。例えば、ＦＲ１は、６ＧＨｚ以下の周波数帯（サブ６ＧＨｚ（sub-6GHz））であってもよいし、ＦＲ２は、２４ＧＨｚよりも高い周波数帯（above-24GHz）であってもよい。なお、ＦＲ１及びＦＲ２の周波数帯、定義などはこれらに限られず、例えばＦＲ１がＦＲ２よりも高い周波数帯に該当してもよい。
【０１１９】
また、ユーザ端末２０は、各ＣＣにおいて、時分割複信（ＴＤＤ：Time  Division  Duplex）及び周波数分割複信（ＦＤＤ：Frequency  Division  Duplex）の少なくとも１つを用いて通信を行ってもよい。
【０１２０】
複数の基地局１０は、有線（例えば、ＣＰＲＩ（Common  Public  Radio  Interface）に準拠した光ファイバ、Ｘ２インターフェースなど）又は無線（例えば、ＮＲ通信）によって接続されてもよい。例えば、基地局１１及び１２間においてＮＲ通信がバックホールとして利用される場合、上位局に該当する基地局１１はＩＡＢ（Integrated  Access  Backhaul）ドナー、中継局（リレー）に該当する基地局１２はＩＡＢノードと呼ばれてもよい。
【０１２１】
基地局１０は、他の基地局１０を介して、又は直接コアネットワーク３０に接続されてもよい。コアネットワーク３０は、例えば、ＥＰＣ（Evolved  Packet  Core）、５ＧＣＮ（5G  Core  Network）、ＮＧＣ（Next  Generation  Core）などの少なくとも１つを含んでもよい。
【０１２２】
ユーザ端末２０は、ＬＴＥ、ＬＴＥ−Ａ、５Ｇなどの通信方式の少なくとも１つに対応した端末であってもよい。
【０１２３】
無線通信システム１においては、直交周波数分割多重（ＯＦＤＭ：Orthogonal  Frequency  Division  Multiplexing）ベースの無線アクセス方式が利用されてもよい。例えば、下りリンク（ＤＬ：Downlink）及び上りリンク（ＵＬ：Uplink）の少なくとも一方において、ＣＰ−ＯＦＤＭ（Cyclic  Prefix  OFDM）、ＤＦＴ−ｓ−ＯＦＤＭ（Discrete  Fourier  Transform  Spread  OFDM）、ＯＦＤＭＡ（Orthogonal  Frequency  Division  Multiple  Access）、ＳＣ−ＦＤＭＡ（Single  Carrier  Frequency  Division  Multiple  Access）などが利用されてもよい。
【０１２４】
無線アクセス方式は、波形（waveform）と呼ばれてもよい。なお、無線通信システム１においては、ＵＬ及びＤＬの無線アクセス方式には、他の無線アクセス方式（例えば、他のシングルキャリア伝送方式、他のマルチキャリア伝送方式）が用いられてもよい。
【０１２５】
無線通信システム１では、下りリンクチャネルとして、各ユーザ端末２０で共有される下り共有チャネル（ＰＤＳＣＨ：Physical  Downlink  Shared  Channel）、ブロードキャストチャネル（ＰＢＣＨ：Physical  Broadcast  Channel）、下り制御チャネル（ＰＤＣＣＨ：Physical  Downlink  Control  Channel）などが用いられてもよい。
【０１２６】
また、無線通信システム１では、上りリンクチャネルとして、各ユーザ端末２０で共有される上り共有チャネル（ＰＵＳＣＨ：Physical  Uplink  Shared  Channel）、上り制御チャネル（ＰＵＣＣＨ：Physical  Uplink  Control  Channel）、ランダムアクセスチャネル（ＰＲＡＣＨ：Physical  Random  Access  Channel）などが用いられてもよい。
【０１２７】
ＰＤＳＣＨによって、ユーザデータ、上位レイヤ制御情報、ＳＩＢ（System  Information  Block）などが伝送される。ＰＵＳＣＨによって、ユーザデータ、上位レイヤ制御情報などが伝送されてもよい。また、ＰＢＣＨによって、ＭＩＢ（Master  Information  Block）が伝送されてもよい。
【０１２８】
ＰＤＣＣＨによって、下位レイヤ制御情報が伝送されてもよい。下位レイヤ制御情報は、例えば、ＰＤＳＣＨ及びＰＵＳＣＨの少なくとも一方のスケジューリング情報を含む下り制御情報（ＤＣＩ：Downlink  Control  Information）を含んでもよい。
【０１２９】
なお、ＰＤＳＣＨをスケジューリングするＤＣＩは、ＤＬアサインメント、ＤＬ  ＤＣＩなどと呼ばれてもよいし、ＰＵＳＣＨをスケジューリングするＤＣＩは、ＵＬグラント、ＵＬ  ＤＣＩなどと呼ばれてもよい。なお、ＰＤＳＣＨはＤＬデータで読み替えられてもよいし、ＰＵＳＣＨはＵＬデータで読み替えられてもよい。
【０１３０】
ＰＤＣＣＨの検出には、制御リソースセット（ＣＯＲＥＳＥＴ：COntrol  REsource  SET）及びサーチスペース（search  space）が利用されてもよい。ＣＯＲＥＳＥＴは、ＤＣＩをサーチするリソースに対応する。サーチスペースは、ＰＤＣＣＨ候補（PDCCH  candidates）のサーチ領域及びサーチ方法に対応する。１つのＣＯＲＥＳＥＴは、１つ又は複数のサーチスペースに関連付けられてもよい。ＵＥは、サーチスペース設定に基づいて、あるサーチスペースに関連するＣＯＲＥＳＥＴをモニタしてもよい。
【０１３１】
１つのＳＳは、１つ又は複数のアグリゲーションレベル（aggregation  Level）に該当するＰＤＣＣＨ候補に対応してもよい。１つ又は複数のサーチスペースは、サーチスペースセットと呼ばれてもよい。なお、本開示の「サーチスペース」、「サーチスペースセット」、「サーチスペース設定」、「サーチスペースセット設定」、「ＣＯＲＥＳＥＴ」、「ＣＯＲＥＳＥＴ設定」などは、互いに読み替えられてもよい。
【０１３２】
ＰＵＣＣＨによって、チャネル状態情報（ＣＳＩ：Channel  State  Information）、の送達確認情報（例えば、ＨＡＲＱ−ＡＣＫ（Hybrid  Automatic  Repeat  reQuest）、ＡＣＫ／ＮＡＣＫなどと呼ばれてもよい）、スケジューリングリクエスト（ＳＲ：Scheduling  Request）などが伝送されてもよい。ＰＲＡＣＨによって、セルとの接続確立のためのランダムアクセスプリアンブルが伝送されてもよい。
【０１３３】
なお、本開示において下りリンク、上りリンクなどは「リンク」を付けずに表現されてもよい。また、各種チャネルの先頭に「物理（Physical）」を付けずに表現されてもよい。
【０１３４】
無線通信システム１では、同期信号（ＳＳ：Synchronization  Signal）、下りリンク参照信号（ＤＬ−ＲＳ：Downlink  Reference  Signal）などが伝送されてもよい。無線通信システム１では、ＤＬ−ＲＳとして、セル固有参照信号（ＣＲＳ：Cell-specific  Reference  Signal）、チャネル状態情報参照信号（ＣＳＩ−ＲＳ：Channel  State  Information  Reference  Signal）、復調用参照信号（ＤＭＲＳ：DeModulation  Reference  Signal）、位置決定参照信号（ＰＲＳ：Positioning  Reference  Signal）、位相トラッキング参照信号（ＰＴＲＳ：Phase  Tracking  Reference  Signal）などが伝送されてもよい。
【０１３５】
同期信号は、例えば、プライマリ同期信号（ＰＳＳ：Primary  Synchronization  Signal）及びセカンダリ同期信号（ＳＳＳ：Secondary  Synchronization  Signal）の少なくとも１つであってもよい。ＳＳ（ＰＳＳ、ＳＳＳ）及びＰＢＣＨ（及びＰＢＣＨ用のＤＭＲＳ）を含む信号ブロックは、ＳＳ／ＰＢＣＨブロック、ＳＳＢ（SS  Block）などと呼ばれてもよい。なお、ＳＳ、ＳＳＢなども、参照信号と呼ばれてもよい。
【０１３６】
また、無線通信システム１では、上りリンク参照信号（ＵＬ−ＲＳ：Uplink  Reference  Signal）として、測定用参照信号（ＳＲＳ：Sounding  Reference  Signal）、復調用参照信号（ＤＭＲＳ）などが伝送されてもよい。なお、ＤＭＲＳはユーザ端末固有参照信号（UE-specific  Reference  Signal）と呼ばれてもよい。
【０１３７】
（基地局）
図６は、一実施形態に係る基地局の構成の一例を示す図である。基地局１０は、制御部１１０、送受信部１２０、送受信アンテナ１３０及び伝送路インターフェース（transmission  line  interface）１４０を備えている。なお、制御部１１０、送受信部１２０及び送受信アンテナ１３０及び伝送路インターフェース１４０は、それぞれ１つ以上が備えられてもよい。
【０１３８】
なお、本例では、本実施の形態における特徴部分の機能ブロックを主に示しており、基地局１０は、無線通信に必要な他の機能ブロックも有すると想定されてもよい。以下で説明する各部の処理の一部は、省略されてもよい。
【０１３９】
制御部１１０は、基地局１０全体の制御を実施する。制御部１１０は、本開示に係る技術分野での共通認識に基づいて説明されるコントローラ、制御回路などから構成することができる。
【０１４０】
制御部１１０は、信号の生成、スケジューリング（例えば、リソース割り当て、マッピング）などを制御してもよい。制御部１１０は、送受信部１２０、送受信アンテナ１３０及び伝送路インターフェース１４０を用いた送受信、測定などを制御してもよい。制御部１１０は、信号として送信するデータ、制御情報、系列（sequence）などを生成し、送受信部１２０に転送してもよい。制御部１１０は、通信チャネルの呼処理（設定、解放など）、基地局１０の状態管理、無線リソースの管理などを行ってもよい。
【０１４１】
送受信部１２０は、ベースバンド（baseband）部１２１、ＲＦ（Radio  Frequency）部１２２、測定部１２３を含んでもよい。ベースバンド部１２１は、送信処理部１２１１及び受信処理部１２１２を含んでもよい。送受信部１２０は、本開示に係る技術分野での共通認識に基づいて説明されるトランスミッター／レシーバー、ＲＦ回路、ベースバンド回路、フィルタ、位相シフタ（phase  shifter）、測定回路、送受信回路などから構成することができる。
【０１４２】
送受信部１２０は、一体の送受信部として構成されてもよいし、送信部及び受信部から構成されてもよい。当該送信部は、送信処理部１２１１、ＲＦ部１２２から構成されてもよい。当該受信部は、受信処理部１２１２、ＲＦ部１２２、測定部１２３から構成されてもよい。
【０１４３】
送受信アンテナ１３０は、本開示に係る技術分野での共通認識に基づいて説明されるアンテナ、例えばアレイアンテナなどから構成することができる。
【０１４４】
送受信部１２０は、上述の下りリンクチャネル、同期信号、下りリンク参照信号などを送信してもよい。送受信部１２０は、上述の上りリンクチャネル、上りリンク参照信号などを受信してもよい。
【０１４５】
送受信部１２０は、デジタルビームフォーミング（例えば、プリコーディング）、アナログビームフォーミング（例えば、位相回転）などを用いて、送信ビーム及び受信ビームの少なくとも一方を形成してもよい。
【０１４６】
送受信部１２０（送信処理部１２１１）は、例えば制御部１１０から取得したデータ、制御情報などに対して、ＰＤＣＰ（Packet  Data  Convergence  Protocol）レイヤの処理、ＲＬＣ（Radio  Link  Control）レイヤの処理（例えば、ＲＬＣ再送制御）、ＭＡＣ（Medium  Access  Control）レイヤの処理（例えば、ＨＡＲＱ再送制御）などを行い、送信するビット列を生成してもよい。
【０１４７】
送受信部１２０（送信処理部１２１１）は、送信するビット列に対して、チャネル符号化（誤り訂正符号化を含んでもよい）、変調、マッピング、フィルタ処理、離散フーリエ変換（ＤＦＴ：Discrete  Fourier  Transform）処理（必要に応じて）、逆高速フーリエ変換（ＩＦＦＴ：Inverse  Fast  Fourier  Transform）処理、プリコーディング、デジタル−アナログ変換などの送信処理を行い、ベースバンド信号を出力してもよい。
【０１４８】
送受信部１２０（ＲＦ部１２２）は、ベースバンド信号に対して、無線周波数帯への変調、フィルタ処理、増幅などを行い、無線周波数帯の信号を、送受信アンテナ１３０を介して送信してもよい。
【０１４９】
一方、送受信部１２０（ＲＦ部１２２）は、送受信アンテナ１３０によって受信された無線周波数帯の信号に対して、増幅、フィルタ処理、ベースバンド信号への復調などを行ってもよい。
【０１５０】
送受信部１２０（受信処理部１２１２）は、取得されたベースバンド信号に対して、アナログ−デジタル変換、高速フーリエ変換（ＦＦＴ：Fast  Fourier  Transform）処理、逆離散フーリエ変換（ＩＤＦＴ：Inverse  Discrete  Fourier  Transform）処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１５１】
送受信部１２０（測定部１２３）は、受信した信号に関する測定を実施してもよい。例えば、測定部１２３は、受信した信号に基づいて、ＲＲＭ（Radio  Resource  Management）測定、ＣＳＩ（Channel  State  Information）測定などを行ってもよい。測定部１２３は、受信電力（例えば、ＲＳＲＰ（Reference  Signal  Received  Power））、受信品質（例えば、ＲＳＲＱ（Reference  Signal  Received  Quality）、ＳＩＮＲ（Signal  to  Interference  plus  Noise  Ratio）、ＳＮＲ（Signal  to  Noise  Ratio））、信号強度（例えば、ＲＳＳＩ（Received  Signal  Strength  Indicator））、伝搬路情報（例えば、ＣＳＩ）などについて測定してもよい。測定結果は、制御部１１０に出力されてもよい。
【０１５２】
伝送路インターフェース１４０は、コアネットワーク３０に含まれる装置、他の基地局１０などとの間で信号を送受信（バックホールシグナリング）し、ユーザ端末２０のためのユーザデータ（ユーザプレーンデータ）、制御プレーンデータなどを取得、伝送などしてもよい。
【０１５３】
なお、本開示における基地局１０の送信部及び受信部は、送受信部１２０、送受信アンテナ１３０及び伝送路インターフェース１４０の少なくとも１つによって構成されてもよい。
【０１５４】
なお、送受信部１２０は、コネクテッドモードのユーザ端末２０に対し、システム情報（例えば、ＯＳＩ）又はページング（例えば、ＰＣＣＨ）のための下り制御チャネルを送信してもよい。また、送受信部１２０は、システム情報又はページングのためのＣＯＲＥＳＥＴ、サーチスペース、ＰＤＣＣＨモニタリングオケージョン、ＰＤＣＣＨ用ＴＣＩ状態などの設定情報を、を送信してもよい。制御部１１０は、システム情報、ページングのスケジューリングを行ってもよい。
【０１５５】
（ユーザ端末）
図７は、一実施形態に係るユーザ端末の構成の一例を示す図である。ユーザ端末２０は、制御部２１０、送受信部２２０及び送受信アンテナ２３０を備えている。なお、制御部２１０、送受信部２２０及び送受信アンテナ２３０は、それぞれ１つ以上が備えられてもよい。
【０１５６】
なお、本例では、本実施の形態における特徴部分の機能ブロックを主に示しており、ユーザ端末２０は、無線通信に必要な他の機能ブロックも有すると想定されてもよい。以下で説明する各部の処理の一部は、省略されてもよい。
【０１５７】
制御部２１０は、ユーザ端末２０全体の制御を実施する。制御部２１０は、本開示に係る技術分野での共通認識に基づいて説明されるコントローラ、制御回路などから構成することができる。
【０１５８】
制御部２１０は、信号の生成、マッピングなどを制御してもよい。制御部２１０は、送受信部２２０及び送受信アンテナ２３０を用いた送受信、測定などを制御してもよい。制御部２１０は、信号として送信するデータ、制御情報、系列などを生成し、送受信部２２０に転送してもよい。
【０１５９】
送受信部２２０は、ベースバンド部２２１、ＲＦ部２２２、測定部２２３を含んでもよい。ベースバンド部２２１は、送信処理部２２１１、受信処理部２２１２を含んでもよい。送受信部２２０は、本開示に係る技術分野での共通認識に基づいて説明されるトランスミッター／レシーバー、ＲＦ回路、ベースバンド回路、フィルタ、位相シフタ、測定回路、送受信回路などから構成することができる。
【０１６０】
送受信部２２０は、一体の送受信部として構成されてもよいし、送信部及び受信部から構成されてもよい。当該送信部は、送信処理部２２１１、ＲＦ部２２２から構成されてもよい。当該受信部は、受信処理部２２１２、ＲＦ部２２２、測定部２２３から構成されてもよい。
【０１６１】
送受信アンテナ２３０は、本開示に係る技術分野での共通認識に基づいて説明されるアンテナ、例えばアレイアンテナなどから構成することができる。
【０１６２】
送受信部２２０は、上述の下りリンクチャネル、同期信号、下りリンク参照信号などを受信してもよい。送受信部２２０は、上述の上りリンクチャネル、上りリンク参照信号などを送信してもよい。
【０１６３】
送受信部２２０は、デジタルビームフォーミング（例えば、プリコーディング）、アナログビームフォーミング（例えば、位相回転）などを用いて、送信ビーム及び受信ビームの少なくとも一方を形成してもよい。
【０１６４】
送受信部２２０（送信処理部２２１１）は、例えば制御部２１０から取得したデータ、制御情報などに対して、ＰＤＣＰレイヤの処理、ＲＬＣレイヤの処理（例えば、ＲＬＣ再送制御）、ＭＡＣレイヤの処理（例えば、ＨＡＲＱ再送制御）などを行い、送信するビット列を生成してもよい。
【０１６５】
送受信部２２０（送信処理部２２１１）は、送信するビット列に対して、チャネル符号化（誤り訂正符号化を含んでもよい）、変調、マッピング、フィルタ処理、ＤＦＴ処理（必要に応じて）、ＩＦＦＴ処理、プリコーディング、デジタル−アナログ変換などの送信処理を行い、ベースバンド信号を出力してもよい。
【０１６６】
なお、ＤＦＴ処理を適用するか否かは、トランスフォームプリコーディングの設定に基づいてもよい。送受信部２２０（送信処理部２２１１）は、あるチャネル（例えば、ＰＵＳＣＨ）について、トランスフォームプリコーディングが有効（enabled）である場合、当該チャネルをＤＦＴ−ｓ−ＯＦＤＭ波形を用いて送信するために上記送信処理としてＤＦＴ処理を行ってもよいし、そうでない場合、上記送信処理としてＤＦＴ処理を行わなくてもよい。
【０１６７】
送受信部２２０（ＲＦ部２２２）は、ベースバンド信号に対して、無線周波数帯への変調、フィルタ処理、増幅などを行い、無線周波数帯の信号を、送受信アンテナ２３０を介して送信してもよい。
【０１６８】
一方、送受信部２２０（ＲＦ部２２２）は、送受信アンテナ２３０によって受信された無線周波数帯の信号に対して、増幅、フィルタ処理、ベースバンド信号への復調などを行ってもよい。
【０１６９】
送受信部２２０（受信処理部２２１２）は、取得されたベースバンド信号に対して、アナログ−デジタル変換、ＦＦＴ処理、ＩＤＦＴ処理（必要に応じて）、フィルタ処理、デマッピング、復調、復号（誤り訂正復号を含んでもよい）、ＭＡＣレイヤ処理、ＲＬＣレイヤの処理及びＰＤＣＰレイヤの処理などの受信処理を適用し、ユーザデータなどを取得してもよい。
【０１７０】
送受信部２２０（測定部２２３）は、受信した信号に関する測定を実施してもよい。例えば、測定部２２３は、受信した信号に基づいて、ＲＲＭ測定、ＣＳＩ測定などを行ってもよい。測定部２２３は、受信電力（例えば、ＲＳＲＰ）、受信品質（例えば、ＲＳＲＱ、ＳＩＮＲ、ＳＮＲ）、信号強度（例えば、ＲＳＳＩ）、伝搬路情報（例えば、ＣＳＩ）などについて測定してもよい。測定結果は、制御部２１０に出力されてもよい。
【０１７１】
なお、本開示におけるユーザ端末２０の送信部及び受信部は、送受信部２２０、送受信アンテナ２３０及び伝送路インターフェース２４０の少なくとも１つによって構成されてもよい。
【０１７２】
なお、送受信部２２０は、コネクテッドモードにおいて、システム情報（例えば、ＯＳＩ）又はページング（例えば、ＰＣＣＨ）のための下り制御チャネル（例えば、ＰＤＣＣＨ）のモニタリングを行ってもよい。制御部２１０は、下り制御チャネルモニタリング機会（ＰＤＣＣＨモニタリングオケージョン）及び下り参照信号（ＤＬ−ＲＳ、例えば、ＳＳＢ、ＣＳＩ−ＲＳ）の紐付け（紐付けルール）と、前記下り制御チャネルを含む制御リソースセット（ＣＯＲＥＳＥＴ、例えば、ＣＯＲＥＳＥＴ＃０、共通ＣＯＲＥＳＥＴ）に対して擬似コロケーションである下り参照信号を示す設定情報（例えば、ＰＤＣＣＨ用ＴＣＩ状態、ＰＤＣＣＨ用ＴＣＩ状態リスト、ＭＡＣ  ＣＥ）と、の１つに基づいて、前記下り制御チャネルに対して疑似コロケーション（ＱＣＬ）である下り参照信号（例えば、ＱＣＬソース）を決定してもよい。
【０１７３】
また、制御部２１０は、前記制御リソースセットが制御リソースセット＃０である場合、前記紐付けに基づいて前記下り参照信号を決定し、前記制御リソースセットが制御リソースセット＃０でない場合、前記設定情報に基づいて前記下り参照信号を決定してもよい（態様１）。
【０１７４】
また、制御部２１０は、前記制御リソースセットが制御リソースセット＃０であるか否かによらず、前記紐付けに基づいて前記下り参照信号を決定してもよい（態様２−１）。
【０１７５】
また、制御部２１０は、前記制御リソースセットが制御リソースセット＃０であるか否かによらず、前記設定情報に基づいて前記下り参照信号を決定してもよい（態様２−２）。
【０１７６】
また、制御部２１０は、前記制御リソースセットが制御リソースセット＃０である場合、前記紐付けに基づいて前記下り参照信号を決定し、前記制御リソースセットが制御リソースセット＃０でない場合、前記設定情報に基づいて前記下り参照信号を決定する第１動作（態様１）と、前記制御リソースセットが制御リソースセット＃０であるか否かによらず、前記紐付けに基づいて前記下り参照信号を決定する第２動作（態様２−１）と、前記制御リソースセットが制御リソースセット＃０であるか否かによらず、前記設定情報に基づいて前記下り参照信号を決定する第３動作（態様２−２）と、のうち異なる動作を、前記下り制御チャネルがシステム情報用である場合と、前記下り制御チャネルがページング用である場合と、に適用してもよい（態様３）。
【０１７７】
（ハードウェア構成）
なお、上記実施形態の説明に用いたブロック図は、機能単位のブロックを示している。これらの機能ブロック（構成部）は、ハードウェア及びソフトウェアの少なくとも一方の任意の組み合わせによって実現される。また、各機能ブロックの実現方法は特に限定されない。すなわち、各機能ブロックは、物理的又は論理的に結合した１つの装置を用いて実現されてもよいし、物理的又は論理的に分離した２つ以上の装置を直接的又は間接的に（例えば、有線、無線などを用いて）接続し、これら複数の装置を用いて実現されてもよい。機能ブロックは、上記１つの装置又は上記複数の装置にソフトウェアを組み合わせて実現されてもよい。
【０１７８】
ここで、機能には、判断、決定、判定、計算、算出、処理、導出、調査、探索、確認、受信、送信、出力、アクセス、解決、選択、選定、確立、比較、想定、期待、みなし、報知（broadcasting）、通知（notifying）、通信（communicating）、転送（forwarding）、構成（configuring）、再構成（reconfiguring）、割り当て（allocating、mapping）、割り振り（assigning）などがあるが、これらに限られない。例えば、送信を機能させる機能ブロック（構成部）は、送信部（transmitting  unit）、送信機（transmitter）などと呼称されてもよい。いずれも、上述したとおり、実現方法は特に限定されない。
【０１７９】
例えば、本開示の一実施形態における基地局、ユーザ端末などは、本開示の無線通信方法の処理を行うコンピュータとして機能してもよい。図８は、一実施形態に係る基地局及びユーザ端末のハードウェア構成の一例を示す図である。上述の基地局１０及びユーザ端末２０は、物理的には、プロセッサ１００１、メモリ１００２、ストレージ１００３、通信装置１００４、入力装置１００５、出力装置１００６、バス１００７などを含むコンピュータ装置として構成されてもよい。
【０１８０】
なお、本開示において、装置、回路、デバイス、部（section）、ユニットなどの文言は、互いに読み替えることができる。基地局１０及びユーザ端末２０のハードウェア構成は、図に示した各装置を１つ又は複数含むように構成されてもよいし、一部の装置を含まずに構成されてもよい。
【０１８１】
例えば、プロセッサ１００１は１つだけ図示されているが、複数のプロセッサがあってもよい。また、処理は、１のプロセッサによって実行されてもよいし、処理が同時に、逐次に、又はその他の手法を用いて、２以上のプロセッサによって実行されてもよい。なお、プロセッサ１００１は、１以上のチップによって実装されてもよい。
【０１８２】
基地局１０及びユーザ端末２０における各機能は、例えば、プロセッサ１００１、メモリ１００２などのハードウェア上に所定のソフトウェア（プログラム）を読み込ませることによって、プロセッサ１００１が演算を行い、通信装置１００４を介する通信を制御したり、メモリ１００２及びストレージ１００３におけるデータの読み出し及び書き込みの少なくとも一方を制御したりすることによって実現される。
【０１８３】
プロセッサ１００１は、例えば、オペレーティングシステムを動作させてコンピュータ全体を制御する。プロセッサ１００１は、周辺装置とのインターフェース、制御装置、演算装置、レジスタなどを含む中央処理装置（ＣＰＵ：Central  Processing  Unit）によって構成されてもよい。例えば、上述の制御部１１０（２１０）、送受信部１２０（２２０）などの少なくとも一部は、プロセッサ１００１によって実現されてもよい。
【０１８４】
また、プロセッサ１００１は、プログラム（プログラムコード）、ソフトウェアモジュール、データなどを、ストレージ１００３及び通信装置１００４の少なくとも一方からメモリ１００２に読み出し、これらに従って各種の処理を実行する。プログラムとしては、上述の実施形態において説明した動作の少なくとも一部をコンピュータに実行させるプログラムが用いられる。例えば、制御部１１０（２１０）は、メモリ１００２に格納され、プロセッサ１００１において動作する制御プログラムによって実現されてもよく、他の機能ブロックについても同様に実現されてもよい。
【０１８５】
メモリ１００２は、コンピュータ読み取り可能な記録媒体であり、例えば、ＲＯＭ（Read  Only  Memory）、ＥＰＲＯＭ（Erasable  Programmable  ROM）、ＥＥＰＲＯＭ（Electrically  EPROM）、ＲＡＭ（Random  Access  Memory）、その他の適切な記憶媒体の少なくとも１つによって構成されてもよい。メモリ１００２は、レジスタ、キャッシュ、メインメモリ（主記憶装置）などと呼ばれてもよい。メモリ１００２は、本開示の一実施形態に係る無線通信方法を実施するために実行可能なプログラム（プログラムコード）、ソフトウェアモジュールなどを保存することができる。
【０１８６】
ストレージ１００３は、コンピュータ読み取り可能な記録媒体であり、例えば、フレキシブルディスク、フロッピー（登録商標）ディスク、光磁気ディスク（例えば、コンパクトディスク（ＣＤ−ＲＯＭ（Compact  Disc  ROM）など）、デジタル多用途ディスク、Ｂｌｕ−ｒａｙ（登録商標）ディスク）、リムーバブルディスク、ハードディスクドライブ、スマートカード、フラッシュメモリデバイス（例えば、カード、スティック、キードライブ）、磁気ストライプ、データベース、サーバ、その他の適切な記憶媒体の少なくとも１つによって構成されてもよい。ストレージ１００３は、補助記憶装置と呼ばれてもよい。
【０１８７】
通信装置１００４は、有線ネットワーク及び無線ネットワークの少なくとも一方を介してコンピュータ間の通信を行うためのハードウェア（送受信デバイス）であり、例えばネットワークデバイス、ネットワークコントローラ、ネットワークカード、通信モジュールなどともいう。通信装置１００４は、例えば周波数分割複信（ＦＤＤ：Frequency  Division  Duplex）及び時分割複信（ＴＤＤ：Time  Division  Duplex）の少なくとも一方を実現するために、高周波スイッチ、デュプレクサ、フィルタ、周波数シンセサイザなどを含んで構成されてもよい。例えば、上述の送受信部１２０（２２０）、送受信アンテナ１３０（２３０）などは、通信装置１００４によって実現されてもよい。送受信部１２０（２２０）は、送信部１２０ａ（２２０ａ）と受信部１２０ｂ（２２０ｂ）とで、物理的に又は論理的に分離された実装がなされてもよい。
【０１８８】
入力装置１００５は、外部からの入力を受け付ける入力デバイス（例えば、キーボード、マウス、マイクロフォン、スイッチ、ボタン、センサなど）である。出力装置１００６は、外部への出力を実施する出力デバイス（例えば、ディスプレイ、スピーカー、ＬＥＤ（Light  Emitting  Diode）ランプなど）である。なお、入力装置１００５及び出力装置１００６は、一体となった構成（例えば、タッチパネル）であってもよい。
【０１８９】
また、プロセッサ１００１、メモリ１００２などの各装置は、情報を通信するためのバス１００７によって接続される。バス１００７は、単一のバスを用いて構成されてもよいし、装置間ごとに異なるバスを用いて構成されてもよい。
【０１９０】
また、基地局１０及びユーザ端末２０は、マイクロプロセッサ、デジタル信号プロセッサ（ＤＳＰ：Digital  Signal  Processor）、ＡＳＩＣ（Application  Specific  Integrated  Circuit）、ＰＬＤ（Programmable  Logic  Device）、ＦＰＧＡ（Field  Programmable  Gate  Array）などのハードウェアを含んで構成されてもよく、当該ハードウェアを用いて各機能ブロックの一部又は全てが実現されてもよい。例えば、プロセッサ１００１は、これらのハードウェアの少なくとも１つを用いて実装されてもよい。
【０１９１】
（変形例）
なお、本開示において説明した用語及び本開示の理解に必要な用語については、同一の又は類似する意味を有する用語と置き換えてもよい。例えば、チャネル、シンボル及び信号（シグナル又はシグナリング）は、互いに読み替えられてもよい。また、信号はメッセージであってもよい。参照信号は、ＲＳ（Reference  Signal）と略称することもでき、適用される標準によってパイロット（Pilot）、パイロット信号などと呼ばれてもよい。また、コンポーネントキャリア（ＣＣ：Component  Carrier）は、セル、周波数キャリア、キャリア周波数などと呼ばれてもよい。
【０１９２】
無線フレームは、時間領域において１つ又は複数の期間（フレーム）によって構成されてもよい。無線フレームを構成する当該１つ又は複数の各期間（フレーム）は、サブフレームと呼ばれてもよい。さらに、サブフレームは、時間領域において１つ又は複数のスロットによって構成されてもよい。サブフレームは、ニューメロロジー（numerology）に依存しない固定の時間長（例えば、１ｍｓ）であってもよい。
【０１９３】
ここで、ニューメロロジーは、ある信号又はチャネルの送信及び受信の少なくとも一方に適用される通信パラメータであってもよい。ニューメロロジーは、例えば、サブキャリア間隔（ＳＣＳ：SubCarrier  Spacing）、帯域幅、シンボル長、サイクリックプレフィックス長、送信時間間隔（ＴＴＩ：Transmission  Time  Interval）、ＴＴＩあたりのシンボル数、無線フレーム構成、送受信機が周波数領域において行う特定のフィルタリング処理、送受信機が時間領域において行う特定のウィンドウイング処理などの少なくとも１つを示してもよい。
【０１９４】
スロットは、時間領域において１つ又は複数のシンボル（ＯＦＤＭ（Orthogonal  Frequency  Division  Multiplexing）シンボル、ＳＣ−ＦＤＭＡ（Single  Carrier  Frequency  Division  Multiple  Access）シンボルなど）によって構成されてもよい。また、スロットは、ニューメロロジーに基づく時間単位であってもよい。
【０１９５】
スロットは、複数のミニスロットを含んでもよい。各ミニスロットは、時間領域において１つ又は複数のシンボルによって構成されてもよい。また、ミニスロットは、サブスロットと呼ばれてもよい。ミニスロットは、スロットよりも少ない数のシンボルによって構成されてもよい。ミニスロットより大きい時間単位で送信されるＰＤＳＣＨ（又はＰＵＳＣＨ）は、ＰＤＳＣＨ（ＰＵＳＣＨ）マッピングタイプＡと呼ばれてもよい。ミニスロットを用いて送信されるＰＤＳＣＨ（又はＰＵＳＣＨ）は、ＰＤＳＣＨ（ＰＵＳＣＨ）マッピングタイプＢと呼ばれてもよい。
【０１９６】
無線フレーム、サブフレーム、スロット、ミニスロット及びシンボルは、いずれも信号を伝送する際の時間単位を表す。無線フレーム、サブフレーム、スロット、ミニスロット及びシンボルは、それぞれに対応する別の呼称が用いられてもよい。なお、本開示におけるフレーム、サブフレーム、スロット、ミニスロット、シンボルなどの時間単位は、互いに読み替えられてもよい。
【０１９７】
例えば、１サブフレームはＴＴＩと呼ばれてもよいし、複数の連続したサブフレームがＴＴＩと呼ばれてよいし、１スロット又は１ミニスロットがＴＴＩと呼ばれてもよい。つまり、サブフレーム及びＴＴＩの少なくとも一方は、既存のＬＴＥにおけるサブフレーム（１ｍｓ）であってもよいし、１ｍｓより短い期間（例えば、１−１３シンボル）であってもよいし、１ｍｓより長い期間であってもよい。なお、ＴＴＩを表す単位は、サブフレームではなくスロット、ミニスロットなどと呼ばれてもよい。
【０１９８】
ここで、ＴＴＩは、例えば、無線通信におけるスケジューリングの最小時間単位のことをいう。例えば、ＬＴＥシステムでは、基地局が各ユーザ端末に対して、無線リソース（各ユーザ端末において使用することが可能な周波数帯域幅、送信電力など）を、ＴＴＩ単位で割り当てるスケジューリングを行う。なお、ＴＴＩの定義はこれに限られない。
【０１９９】
ＴＴＩは、チャネル符号化されたデータパケット（トランスポートブロック）、コードブロック、コードワードなどの送信時間単位であってもよいし、スケジューリング、リンクアダプテーションなどの処理単位となってもよい。なお、ＴＴＩが与えられたとき、実際にトランスポートブロック、コードブロック、コードワードなどがマッピングされる時間区間（例えば、シンボル数）は、当該ＴＴＩよりも短くてもよい。
【０２００】
なお、１スロット又は１ミニスロットがＴＴＩと呼ばれる場合、１以上のＴＴＩ（すなわち、１以上のスロット又は１以上のミニスロット）が、スケジューリングの最小時間単位となってもよい。また、当該スケジューリングの最小時間単位を構成するスロット数（ミニスロット数）は制御されてもよい。
【０２０１】
１ｍｓの時間長を有するＴＴＩは、通常ＴＴＩ（３ＧＰＰ  Ｒｅｌ．８−１２におけるＴＴＩ）、ノーマルＴＴＩ、ロングＴＴＩ、通常サブフレーム、ノーマルサブフレーム、ロングサブフレーム、スロットなどと呼ばれてもよい。通常ＴＴＩより短いＴＴＩは、短縮ＴＴＩ、ショートＴＴＩ、部分ＴＴＩ（partial又はfractional  TTI）、短縮サブフレーム、ショートサブフレーム、ミニスロット、サブスロット、スロットなどと呼ばれてもよい。
【０２０２】
なお、ロングＴＴＩ（例えば、通常ＴＴＩ、サブフレームなど）は、１ｍｓを超える時間長を有するＴＴＩで読み替えてもよいし、ショートＴＴＩ（例えば、短縮ＴＴＩなど）は、ロングＴＴＩのＴＴＩ長未満かつ１ｍｓ以上のＴＴＩ長を有するＴＴＩで読み替えてもよい。
【０２０３】
リソースブロック（ＲＢ：Resource  Block）は、時間領域及び周波数領域のリソース割当単位であり、周波数領域において、１つ又は複数個の連続した副搬送波（サブキャリア（subcarrier））を含んでもよい。ＲＢに含まれるサブキャリアの数は、ニューメロロジーに関わらず同じであってもよく、例えば１２であってもよい。ＲＢに含まれるサブキャリアの数は、ニューメロロジーに基づいて決定されてもよい。
【０２０４】
また、ＲＢは、時間領域において、１つ又は複数個のシンボルを含んでもよく、１スロット、１ミニスロット、１サブフレーム又は１ＴＴＩの長さであってもよい。１ＴＴＩ、１サブフレームなどは、それぞれ１つ又は複数のリソースブロックによって構成されてもよい。
【０２０５】
なお、１つ又は複数のＲＢは、物理リソースブロック（ＰＲＢ：Physical  RB）、サブキャリアグループ（ＳＣＧ：Sub-Carrier  Group）、リソースエレメントグループ（ＲＥＧ：Resource  Element  Group）、ＰＲＢペア、ＲＢペアなどと呼ばれてもよい。
【０２０６】
また、リソースブロックは、１つ又は複数のリソースエレメント（ＲＥ：Resource  Element）によって構成されてもよい。例えば、１ＲＥは、１サブキャリア及び１シンボルの無線リソース領域であってもよい。
【０２０７】
帯域幅部分（ＢＷＰ：Bandwidth  Part）（部分帯域幅などと呼ばれてもよい）は、あるキャリアにおいて、あるニューメロロジー用の連続する共通ＲＢ（common  resource  blocks）のサブセットのことを表してもよい。ここで、共通ＲＢは、当該キャリアの共通参照ポイントを基準としたＲＢのインデックスによって特定されてもよい。ＰＲＢは、あるＢＷＰで定義され、当該ＢＷＰ内で番号付けされてもよい。
【０２０８】
ＢＷＰには、ＵＬ用のＢＷＰ（ＵＬ  ＢＷＰ）と、ＤＬ用のＢＷＰ（ＤＬ  ＢＷＰ）とが含まれてもよい。ＵＥに対して、１キャリア内に１つ又は複数のＢＷＰが設定されてもよい。
【０２０９】
設定されたＢＷＰの少なくとも１つがアクティブであってもよく、ＵＥは、アクティブなＢＷＰの外で所定の信号／チャネルを送受信することを想定しなくてもよい。なお、本開示における「セル」、「キャリア」などは、「ＢＷＰ」で読み替えられてもよい。
【０２１０】
なお、上述した無線フレーム、サブフレーム、スロット、ミニスロット及びシンボルなどの構造は例示に過ぎない。例えば、無線フレームに含まれるサブフレームの数、サブフレーム又は無線フレームあたりのスロットの数、スロット内に含まれるミニスロットの数、スロット又はミニスロットに含まれるシンボル及びＲＢの数、ＲＢに含まれるサブキャリアの数、並びにＴＴＩ内のシンボル数、シンボル長、サイクリックプレフィックス（ＣＰ：Cyclic  Prefix）長などの構成は、様々に変更することができる。
【０２１１】
また、本開示において説明した情報、パラメータなどは、絶対値を用いて表されてもよいし、所定の値からの相対値を用いて表されてもよいし、対応する別の情報を用いて表されてもよい。例えば、無線リソースは、所定のインデックスによって指示されてもよい。
【０２１２】
本開示においてパラメータなどに使用する名称は、いかなる点においても限定的な名称ではない。さらに、これらのパラメータを使用する数式などは、本開示において明示的に開示したものと異なってもよい。様々なチャネル（ＰＵＣＣＨ（Physical  Uplink  Control  Channel）、ＰＤＣＣＨ（Physical  Downlink  Control  Channel）など）及び情報要素は、あらゆる好適な名称によって識別できるので、これらの様々なチャネル及び情報要素に割り当てている様々な名称は、いかなる点においても限定的な名称ではない。
【０２１３】
本開示において説明した情報、信号などは、様々な異なる技術のいずれかを使用して表されてもよい。例えば、上記の説明全体に渡って言及され得るデータ、命令、コマンド、情報、信号、ビット、シンボル、チップなどは、電圧、電流、電磁波、磁界若しくは磁性粒子、光場若しくは光子、又はこれらの任意の組み合わせによって表されてもよい。
【０２１４】
また、情報、信号などは、上位レイヤから下位レイヤ及び下位レイヤから上位レイヤの少なくとも一方へ出力され得る。情報、信号などは、複数のネットワークノードを介して入出力されてもよい。
【０２１５】
入出力された情報、信号などは、特定の場所（例えば、メモリ）に保存されてもよいし、管理テーブルを用いて管理してもよい。入出力される情報、信号などは、上書き、更新又は追記をされ得る。出力された情報、信号などは、削除されてもよい。入力された情報、信号などは、他の装置へ送信されてもよい。
【０２１６】
情報の通知は、本開示において説明した態様／実施形態に限られず、他の方法を用いて行われてもよい。例えば、本開示における情報の通知は、物理レイヤシグナリング（例えば、下り制御情報（ＤＣＩ：Downlink  Control  Information）、上り制御情報（ＵＣＩ：Uplink  Control  Information））、上位レイヤシグナリング（例えば、ＲＲＣ（Radio  Resource  Control）シグナリング、ブロードキャスト情報（マスタ情報ブロック（ＭＩＢ：Master  Information  Block）、システム情報ブロック（ＳＩＢ：System  Information  Block）など）、ＭＡＣ（Medium  Access  Control）シグナリング）、その他の信号又はこれらの組み合わせによって実施されてもよい。
【０２１７】
なお、物理レイヤシグナリングは、Ｌ１／Ｌ２（Layer  1／Layer  2）制御情報（Ｌ１／Ｌ２制御信号）、Ｌ１制御情報（Ｌ１制御信号）などと呼ばれてもよい。また、ＲＲＣシグナリングは、ＲＲＣメッセージと呼ばれてもよく、例えば、ＲＲＣ接続セットアップ（RRC  Connection  Setup）メッセージ、ＲＲＣ接続再構成（RRC  Connection  Reconfiguration）メッセージなどであってもよい。また、ＭＡＣシグナリングは、例えば、ＭＡＣ制御要素（ＭＡＣ  ＣＥ（Control  Element））を用いて通知されてもよい。
【０２１８】
また、所定の情報の通知（例えば、「Ｘであること」の通知）は、明示的な通知に限られず、暗示的に（例えば、当該所定の情報の通知を行わないことによって又は別の情報の通知によって）行われてもよい。
【０２１９】
判定は、１ビットで表される値（０か１か）によって行われてもよいし、真（true）又は偽（false）で表される真偽値（boolean）によって行われてもよいし、数値の比較（例えば、所定の値との比較）によって行われてもよい。
【０２２０】
ソフトウェアは、ソフトウェア、ファームウェア、ミドルウェア、マイクロコード、ハードウェア記述言語と呼ばれるか、他の名称で呼ばれるかを問わず、命令、命令セット、コード、コードセグメント、プログラムコード、プログラム、サブプログラム、ソフトウェアモジュール、アプリケーション、ソフトウェアアプリケーション、ソフトウェアパッケージ、ルーチン、サブルーチン、オブジェクト、実行可能ファイル、実行スレッド、手順、機能などを意味するよう広く解釈されるべきである。
【０２２１】
また、ソフトウェア、命令、情報などは、伝送媒体を介して送受信されてもよい。例えば、ソフトウェアが、有線技術（同軸ケーブル、光ファイバケーブル、ツイストペア、デジタル加入者回線（ＤＳＬ：Digital  Subscriber  Line）など）及び無線技術（赤外線、マイクロ波など）の少なくとも一方を使用してウェブサイト、サーバ、又は他のリモートソースから送信される場合、これらの有線技術及び無線技術の少なくとも一方は、伝送媒体の定義内に含まれる。
【０２２２】
本開示において使用する「システム」及び「ネットワーク」という用語は、互換的に使用され得る。「ネットワーク」は、ネットワークに含まれる装置（例えば、基地局）のことを意味してもよい。
【０２２３】
本開示において、「プリコーディング」、「プリコーダ」、「ウェイト（プリコーディングウェイト）」、「擬似コロケーション（ＱＣＬ：Quasi-Co-Location）」、「ＴＣＩ状態（Transmission  Configuration  Indication  state）」、「空間関係（spatial  relation）」、「空間ドメインフィルタ（spatial  domain  filter）」、「送信電力」、「位相回転」、「アンテナポート」、「アンテナポートグル−プ」、「レイヤ」、「レイヤ数」、「ランク」、「リソース」、「リソースセット」、「リソースグループ」、「ビーム」、「ビーム幅」、「ビーム角度」、「アンテナ」、「アンテナ素子」、「パネル」などの用語は、互換的に使用され得る。
【０２２４】
本開示においては、「基地局（ＢＳ：Base  Station）」、「無線基地局」、「固定局（fixed  station）」、「ＮｏｄｅＢ」、「ｅＮｏｄｅＢ（ｅＮＢ）」、「ｇＮｏｄｅＢ（ｇＮＢ）」、「アクセスポイント（access  point）」、「送信ポイント（ＴＰ：Transmission  Point）」、「受信ポイント（ＲＰ：Reception  Point）」、「送受信ポイント（ＴＲＰ：Transmission/Reception  Point）」、「パネル」、「セル」、「セクタ」、「セルグループ」、「キャリア」、「コンポーネントキャリア」などの用語は、互換的に使用され得る。基地局は、マクロセル、スモールセル、フェムトセル、ピコセルなどの用語で呼ばれる場合もある。
【０２２５】
基地局は、１つ又は複数（例えば、３つ）のセルを収容することができる。基地局が複数のセルを収容する場合、基地局のカバレッジエリア全体は複数のより小さいエリアに区分でき、各々のより小さいエリアは、基地局サブシステム（例えば、屋内用の小型基地局（ＲＲＨ：Remote  Radio  Head））によって通信サービスを提供することもできる。「セル」又は「セクタ」という用語は、このカバレッジにおいて通信サービスを行う基地局及び基地局サブシステムの少なくとも一方のカバレッジエリアの一部又は全体を指す。
【０２２６】
本開示においては、「移動局（ＭＳ：Mobile  Station）」、「ユーザ端末（user  terminal）」、「ユーザ装置（ＵＥ：User  Equipment）」、「端末」などの用語は、互換的に使用され得る。
【０２２７】
移動局は、加入者局、モバイルユニット、加入者ユニット、ワイヤレスユニット、リモートユニット、モバイルデバイス、ワイヤレスデバイス、ワイヤレス通信デバイス、リモートデバイス、モバイル加入者局、アクセス端末、モバイル端末、ワイヤレス端末、リモート端末、ハンドセット、ユーザエージェント、モバイルクライアント、クライアント又はいくつかの他の適切な用語で呼ばれる場合もある。
【０２２８】
基地局及び移動局の少なくとも一方は、送信装置、受信装置、無線通信装置などと呼ばれてもよい。なお、基地局及び移動局の少なくとも一方は、移動体に搭載されたデバイス、移動体自体などであってもよい。当該移動体は、乗り物（例えば、車、飛行機など）であってもよいし、無人で動く移動体（例えば、ドローン、自動運転車など）であってもよいし、ロボット（有人型又は無人型）であってもよい。なお、基地局及び移動局の少なくとも一方は、必ずしも通信動作時に移動しない装置も含む。例えば、基地局及び移動局の少なくとも一方は、センサなどのＩｏＴ（Internet  of  Things）機器であってもよい。
【０２２９】
また、本開示における基地局は、ユーザ端末で読み替えてもよい。例えば、基地局及びユーザ端末間の通信を、複数のユーザ端末間の通信（例えば、Ｄ２Ｄ（Device-to-Device）、Ｖ２Ｘ（Vehicle-to-Everything）などと呼ばれてもよい）に置き換えた構成について、本開示の各態様／実施形態を適用してもよい。この場合、上述の基地局１０が有する機能をユーザ端末２０が有する構成としてもよい。また、「上り」、「下り」などの文言は、端末間通信に対応する文言（例えば、「サイド（side）」）で読み替えられてもよい。例えば、上りチャネル、下りチャネルなどは、サイドチャネルで読み替えられてもよい。
【０２３０】
同様に、本開示におけるユーザ端末は、基地局で読み替えてもよい。この場合、上述のユーザ端末２０が有する機能を基地局１０が有する構成としてもよい。
【０２３１】
本開示において、基地局によって行われるとした動作は、場合によってはその上位ノード（upper  node）によって行われることもある。基地局を有する１つ又は複数のネットワークノード（network  nodes）を含むネットワークにおいて、端末との通信のために行われる様々な動作は、基地局、基地局以外の１つ以上のネットワークノード（例えば、ＭＭＥ（Mobility  Management  Entity）、Ｓ−ＧＷ（Serving-Gateway）などが考えられるが、これらに限られない）又はこれらの組み合わせによって行われ得ることは明らかである。
【０２３２】
本開示において説明した各態様／実施形態は単独で用いてもよいし、組み合わせて用いてもよいし、実行に伴って切り替えて用いてもよい。また、本開示において説明した各態様／実施形態の処理手順、シーケンス、フローチャートなどは、矛盾の無い限り、順序を入れ替えてもよい。例えば、本開示において説明した方法については、例示的な順序を用いて様々なステップの要素を提示しており、提示した特定の順序に限定されない。
【０２３３】
本開示において説明した各態様／実施形態は、ＬＴＥ（Long  Term  Evolution）、ＬＴＥ−Ａ（LTE-Advanced）、ＬＴＥ−Ｂ（LTE-Beyond）、ＳＵＰＥＲ  ３Ｇ、ＩＭＴ−Ａｄｖａｎｃｅｄ、４Ｇ（4th  generation  mobile  communication  system）、５Ｇ（5th  generation  mobile  communication  system）、ＦＲＡ（Future  Radio  Access）、Ｎｅｗ−ＲＡＴ（Radio  Access  Technology）、ＮＲ（New  Radio）、ＮＸ（New  radio  access）、ＦＸ（Future  generation  radio  access）、ＧＳＭ（登録商標）（Global  System  for  Mobile  communications）、ＣＤＭＡ２０００、ＵＭＢ（Ultra  Mobile  Broadband）、ＩＥＥＥ  ８０２．１１（Ｗｉ−Ｆｉ（登録商標））、ＩＥＥＥ  ８０２．１６（ＷｉＭＡＸ（登録商標））、ＩＥＥＥ  ８０２．２０、ＵＷＢ（Ultra-WideBand）、Ｂｌｕｅｔｏｏｔｈ（登録商標）、その他の適切な無線通信方法を利用するシステム、これらに基づいて拡張された次世代システムなどに適用されてもよい。また、複数のシステムが組み合わされて（例えば、ＬＴＥ又はＬＴＥ−Ａと、５Ｇとの組み合わせなど）適用されてもよい。
【０２３４】
本開示において使用する「に基づいて」という記載は、別段に明記されていない限り、「のみに基づいて」を意味しない。言い換えれば、「に基づいて」という記載は、「のみに基づいて」と「に少なくとも基づいて」の両方を意味する。
【０２３５】
本開示において使用する「第１の」、「第２の」などの呼称を使用した要素へのいかなる参照も、それらの要素の量又は順序を全般的に限定しない。これらの呼称は、２つ以上の要素間を区別する便利な方法として本開示において使用され得る。したがって、第１及び第２の要素の参照は、２つの要素のみが採用され得ること又は何らかの形で第１の要素が第２の要素に先行しなければならないことを意味しない。
【０２３６】
本開示において使用する「判断（決定）（determining）」という用語は、多種多様な動作を包含する場合がある。例えば、「判断（決定）」は、判定（judging）、計算（calculating）、算出（computing）、処理（processing）、導出（deriving）、調査（investigating）、探索（looking  up、search、inquiry）（例えば、テーブル、データベース又は別のデータ構造での探索）、確認（ascertaining）などを「判断（決定）」することであるとみなされてもよい。
【０２３７】
また、「判断（決定）」は、受信（receiving）（例えば、情報を受信すること）、送信（transmitting）（例えば、情報を送信すること）、入力（input）、出力（output）、アクセス（accessing）（例えば、メモリ中のデータにアクセスすること）などを「判断（決定）」することであるとみなされてもよい。
【０２３８】
また、「判断（決定）」は、解決（resolving）、選択（selecting）、選定（choosing）、確立（establishing）、比較（comparing）などを「判断（決定）」することであるとみなされてもよい。つまり、「判断（決定）」は、何らかの動作を「判断（決定）」することであるとみなされてもよい。
【０２３９】
また、「判断（決定）」は、「想定する（assuming）」、「期待する（expecting）」、「みなす（considering）」などで読み替えられてもよい。
【０２４０】
本開示に記載の「最大送信電力」は送信電力の最大値を意味してもよいし、公称最大送信電力（the  nominal  UE  maximum  transmit  power）を意味してもよいし、定格最大送信電力（the  rated  UE  maximum  transmit  power）を意味してもよい。
【０２４１】
本開示において使用する「接続された（connected）」、「結合された（coupled）」という用語、又はこれらのあらゆる変形は、２又はそれ以上の要素間の直接的又は間接的なあらゆる接続又は結合を意味し、互いに「接続」又は「結合」された２つの要素間に１又はそれ以上の中間要素が存在することを含むことができる。要素間の結合又は接続は、物理的であっても、論理的であっても、あるいはこれらの組み合わせであってもよい。例えば、「接続」は「アクセス」で読み替えられてもよい。
【０２４２】
本開示において、２つの要素が接続される場合、１つ以上の電線、ケーブル、プリント電気接続などを用いて、並びにいくつかの非限定的かつ非包括的な例として、無線周波数領域、マイクロ波領域、光（可視及び不可視の両方）領域の波長を有する電磁エネルギーなどを用いて、互いに「接続」又は「結合」されると考えることができる。
【０２４３】
本開示において、「ＡとＢが異なる」という用語は、「ＡとＢが互いに異なる」ことを意味してもよい。なお、当該用語は、「ＡとＢがそれぞれＣと異なる」ことを意味してもよい。「離れる」、「結合される」などの用語も、「異なる」と同様に解釈されてもよい。
【０２４４】
本開示において、「含む（include）」、「含んでいる（including）」及びこれらの変形が使用されている場合、これらの用語は、用語「備える（comprising）」と同様に、包括的であることが意図される。さらに、本開示において使用されている用語「又は（or）」は、排他的論理和ではないことが意図される。
【０２４５】
本開示において、例えば、英語でのa,  an及びtheのように、翻訳によって冠詞が追加された場合、本開示は、これらの冠詞の後に続く名詞が複数形であることを含んでもよい。
【０２４６】
以上、本開示に係る発明について詳細に説明したが、当業者にとっては、本開示に係る発明が本開示中に説明した実施形態に限定されないということは明らかである。本開示に係る発明は、請求の範囲の記載に基づいて定まる発明の趣旨及び範囲を逸脱することなく修正及び変更態様として実施することができる。したがって、本開示の記載は、例示説明を目的とし、本開示に係る発明に対して何ら制限的な意味をもたらさない。
【図１】
2020059153.tif 000003
【図２】
2020059153.tif 000004
【図３】
2020059153.tif 000005
【図４】
2020059153.tif 000006
【図５】
2020059153.tif 000007
【図６】
2020059153.tif 000008
【図７】
2020059153.tif 000009
【図８】
2020059153.tif 000010
【手続補正書】
【提出日】令和3年6月18日(2021.6.18)
【手続補正１】
【補正対象書類名】特許請求の範囲
【補正対象項目名】全文
【補正方法】変更
【補正の内容】
【特許請求の範囲】
【請求項１】
システム情報及びページングのうち少なくとも一つのためのＰｈｙｓｉｃａｌ  Ｄｏｗｎｌｉｎｋ  Ｃｏｎｔｒｏｌ  ＣＨａｎｎｅｌ（ＰＤＣＣＨ）をモニタする受信部と、
前記ＰＤＣＣＨを含む制御リソースセットが特定の制御リソースセットである場合には第１の動作によって前記ＰＤＣＣＨのＤｅＭｏｄｕｌａｔｉｏｎ  Ｒｅｆｅｒｅｎｃｅ  Ｓｉｇｎａｌ（ＤＭＲＳ）アンテナポートのＱｕａｓｉ−Ｃｏ−Ｌｏｃａｔｉｏｎ（ＱＣＬ）関係を想定し、前記制御リソースセットが特定の制御リソースセットでない場合には前記第１の動作とは異なる第２の動作によって前記ＤＭＲＳアンテナポートのＱＣＬ関係を想定する制御部と、を有することを特徴とする端末。
【請求項２】
前記第１の動作は、Ｍｅｄｉｕｍ  Ａｃｃｅｓｓ  Ｃｏｎｔｒｏｌ  Ｃｏｎｔｒｏｌ  Ｅｌｅｍｅｎｔ（ＭＡＣ  ＣＥ）により通知される下り参照信号と前記ＤＭＲＳアンテナポートとがＱＣＬの関係にあると想定する動作、又は直前のランダムアクセス手順におけるＰｈｙｓｉｃａｌ  Ｒａｎｄｏｍ  Ａｃｃｅｓｓ  Ｃｈａｎｎｅｌ（ＰＲＡＣＨ）に対応するＳｙｎｃｈｒｏｎｉｚａｔｉｏｎ  Ｓｉｇｎａｌ／Ｐｈｙｓｉｃａｌ  Ｂｒｏａｄｃａｓｔ  Ｃｈａｎｎｅｌ（ＳＳ／ＰＢＣＨ）ブロックと前記ＤＭＲＳアンテナポートとがＱＣＬの関係にあると想定する動作であることを特徴とする請求項１に記載の端末。
【請求項３】
前記第２の動作は、上位レイヤシグナリングにより通知されるＴｒａｎｓｍｉｓｓｉｏｎ  Ｃｏｎｆｉｇｕｒａｔｉｏｎ  Ｉｎｄｉｃａｔｏｒ（ＴＣＩ）状態が示す下り参照信号と前記ＤＭＲＳアンテナポートとがＱＣＬの関係にあると想定する動作であることを特徴とする請求項１又は２に記載の端末。
【請求項４】
前記制御部は、前記上位レイヤシグナリングにより複数のＴＣＩ状態が通知される場合には、前記複数のＴＣＩ状態のうちＭＡＣ  ＣＥによりアクティブ化される一つのＴＣＩ状態が示す下り参照信号と前記ＤＭＲＳアンテナポートとがＱＣＬの関係にあると想定することを特徴とする請求項３に記載の端末。
【請求項５】
システム情報及びページングのうち少なくとも一つのためのＰｈｙｓｉｃａｌ  Ｄｏｗｎｌｉｎｋ  Ｃｏｎｔｒｏｌ  ＣＨａｎｎｅｌ（ＰＤＣＣＨ）をモニタする工程と、
前記ＰＤＣＣＨを含む制御リソースセットが特定の制御リソースセットである場合には第１の動作によって前記ＰＤＣＣＨのＤｅＭｏｄｕｌａｔｉｏｎ  Ｒｅｆｅｒｅｎｃｅ  Ｓｉｇｎａｌ（ＤＭＲＳ）アンテナポートのＱｕａｓｉ−Ｃｏ−Ｌｏｃａｔｉｏｎ（ＱＣＬ）関係を想定し、前記制御リソースセットが特定の制御リソースセットでない場合には前記第１の動作とは異なる第２の動作によって前記ＤＭＲＳアンテナポートのＱＣＬ関係を想定する工程と、を有することを特徴とする端末の無線通信方法。
【請求項６】
端末と基地局を有するシステムであって、
前記端末は、
システム情報及びページングのうち少なくとも一つのためのＰｈｙｓｉｃａｌ  Ｄｏｗｎｌｉｎｋ  Ｃｏｎｔｒｏｌ  ＣＨａｎｎｅｌ（ＰＤＣＣＨ）をモニタする受信部と、
前記ＰＤＣＣＨを含む制御リソースセットが特定の制御リソースセットである場合には第１の動作によって前記ＰＤＣＣＨのＤｅＭｏｄｕｌａｔｉｏｎ  Ｒｅｆｅｒｅｎｃｅ Ｓｉｇｎａｌ（ＤＭＲＳ）アンテナポートのＱｕａｓｉ−Ｃｏ−Ｌｏｃａｔｉｏｎ（ＱＣＬ）関係を想定し、前記制御リソースセットが特定の制御リソースセットでない場合には前記第１の動作とは異なる第２の動作によって前記ＤＭＲＳアンテナポートのＱＣＬ関係を想定する制御部と、を有し、
前記基地局は、
前記ＰＤＣＣＨを送信する送信部を有することを特徴とするシステム。
【手続補正３】
【補正対象書類名】明細書
【補正対象項目名】０００１
【補正方法】変更
【補正の内容】
【０００１】
本開示は、次世代移動通信システムにおける端末、無線通信方法及びシステムに関する。
【手続補正４】
【補正対象書類名】明細書
【補正対象項目名】０００９
【補正方法】変更
【補正の内容】
【０００９】
そこで、本開示は、下り制御チャネルのモニタリングを適切に行う端末、無線通信方法及びシステムを提供することを目的の１つとする。
【手続補正５】
【補正対象書類名】明細書
【補正対象項目名】００１０
【補正方法】変更
【補正の内容】
【００１０】
本開示の一態様に係る端末は、システム情報及びページングのうち少なくとも一つのためのＰｈｙｓｉｃａｌ  Ｄｏｗｎｌｉｎｋ  Ｃｏｎｔｒｏｌ  ＣＨａｎｎｅｌ（ＰＤＣＣＨ）をモニタする受信部と、前記ＰＤＣＣＨを含む制御リソースセットが特定の制御リソースセットである場合には第１の動作によって前記ＰＤＣＣＨのＤｅＭｏｄｕｌａｔｉｏｎ  Ｒｅｆｅｒｅｎｃｅ  Ｓｉｇｎａｌ（ＤＭＲＳ）アンテナポートのＱｕａｓｉ−Ｃｏ−Ｌｏｃａｔｉｏｎ（ＱＣＬ）関係を想定し、前記制御リソースセットが特定の制御リソースセットでない場合には前記第１の動作とは異なる第２の動作によって前記ＤＭＲＳアンテナポートのＱＣＬ関係を想定する制御部と、を有することを特徴とする。
【国際調査報告】
2020059153.tif 000011
2020059153.tif 000012